(57)【要約】流体分配アッセンブリは、バルブ、ハウジング、ユーザーインターフェース、及び流体源に結合された継手を含む。バルブは、流体容器の底部に配置された磁気材料に基づいて流体容器の適当な配置を検知する第１センサーと、プランジャーに結合されたプランジャーシャフトを有するプランジャーであって、流体容器と流体連通するようにバルブを選択的に配置するプランジャーと、プランジャーシャフトに結合されたソレノイドであって、開位置と閉位置との間でプランジャーを移動するためにプランジャーシャフトを移動するソレノイドと、を有する。ユーザーインターフェースは、バルブに結合されて、  少なくとも流体容器の大きさ及び分配モードの選択を可能にする。【選択図】図２６
2013517188.tif 000002
【特許請求の範囲】
【請求項１】
流体分配アッセンブリであって、
流体容器の底部でバルブに結合された流体容器に流体を分配するためのバルブを備え、
バルブは、
流体容器の底部に配置された磁気材料に基づいて流体容器の適当な配置を検知する第１センサーと、
プランジャーに結合されたプランジャーシャフトを有するプランジャーであって、流体容器と流体連通するようにバルブを選択的に配置するプランジャーと、
プランジャーシャフトに結合されたソレノイドであって、開位置と閉位置との間でプランジャーを移動するためにプランジャーシャフトを移動するソレノイドと、
少なくとも流体容器の大きさ及び分配モードの選択を可能にする、バルブに結合されたユーザーインターフェースと、を有する、流体分配アッセンブリ。
【請求項２】
請求項１記載の流体分配アッセンブリにおいて、
バルブは、タービンのフィンに配置された磁気材料に基づいたバルブのタービンの回転を検知するための第２センサーを更に備え、
時間内のタービンの回転数は、流体容器に分配される流体量を決定するために使用される、流体分配アッセンブリ。
【請求項３】
請求項２記載の流体分配アッセンブリにおいて、
タービンの回転は、バルブを通じた流体源からの流体の流れによって生じる、流体分配アッセンブリ。
【請求項４】
請求項１記載の流体分配アッセンブリにおいて、
バルブは、流体容器が適当に配置されたときに流体容器の底部に配置された、磁気材料を含む第２接合プレートと接合する第１接合プレートを含むノズルを更に備える、流体分配アッセンブリ。
【請求項５】
請求項１記載の流体分配アッセンブリにおいて、
バルブは、バルブを通じて流体容器に分配される流体を含む流体源に結合された継手を更に備える、流体分配アッセンブリ。
【請求項６】
請求項１記載の流体分配アッセンブリにおいて、
分配モードは、手動分配モード及び自動分配モードを含む、流体分配アッセンブリ。
【請求項７】
請求項１記載の流体分配アッセンブリにおいて、
ユーザーインターフェースは、充填量を調整するオプションと、電源をオンまたはオフにするオプションと、洗浄及び装填のためのオプションとを含む、流体分配アッセンブリ。
【請求項８】
請求項１記載の流体分配アッセンブリにおいて、
バルブ及びユーザーインターフェースに結合されたハウジングを更に備え、
ハウジングは、充填領域と、排出開口と、少なくとも一つのバルブ開口と、ユーザーインターフェースに対応するためのユーザーインターフェース領域とを含む、流体分配アッセンブリ。
【請求項９】
請求項８記載の流体分配アッセンブリにおいて、
ハウジングは、ユーザーインターフェース及びバルブと関連した電気構成要素に対応するための構成要素を含む、流体分配アッセンブリ。
【請求項１０】
請求項８記載の流体分配アッセンブリにおいて、
ハウジングは、充填領域上に上げられた分配プラットフォームに結合され、流体のこぼれが分配プラットフォームから充填領域に移送するのを許容する開口を含む、流体分配アッセンブリ。
【請求項１１】
請求項１０記載の流体分配アッセンブリにおいて、
ハウジングは、販売促進情報を表示する表示領域を含む、流体分配アッセンブリ。
【請求項１２】
流体を分配するバルブであって、
第１磁気接合プレート及び一つ以上の開口を含み、第１シールを介してバルブケースに密閉されたノズルと、
バルブケースに結合されたハウジング本体であって、ノズル上の流体容器の適当な配置を検知する第１センサーと、タービンの回転を検知する第２センサーとを含み、バルブケースが第２シールを介してハウジング本体に密閉された、ハウジング本体と、
ハウジング本体に結合されたアクチュエーターアッセンブリであって、ソレノイドと、ソレノイドスプリングと、ソレノイドプランジャーとを含むアクチュエーターアッセンブリと、
ハウジング本体に結合されたバルブブロックであって、流体源からの流体を受け入れるための継手に対応する開口を含み、バルブブロックは第３シールを介してハウジング本体に密閉された、バルブブロックと、
プランジャーシャフトに結合されたプランジャーと、を備え、
プランジャーシャフトの動きは、開位置と閉位置との間でバルブを移動させ、プランジャーシャフトの動きは、ソレノイドプランジャーの動きに間接的に関連される、バルブ。
【請求項１３】
請求項１２記載のバルブにおいて、
プランジャーシャフトに結合されたタービンを更に備え、タービンは、タービンのフィンに取り付けられた磁気材料を有し、タービンの回転は、バルブを流れる流体によって生じる、バルブ。
【請求項１４】
請求項１３記載のバルブにおいて、
タービンのフィンに取り付けられた磁気材料は、タービンの回転を決定するための第２センサーに使用される、バルブ。
【請求項１５】
請求項１４記載のバルブにおいて、
プランジャーシャフトは、長手軸線に沿ってタービンの下に配置されたダイヤフラムに結合される、バルブ。
【請求項１６】
請求項１５記載のバルブにおいて、
プランジャーシャフトは、スロープ及び長手軸線に沿ってダイヤフラムの下に配置されたスライドロッドに結合され、スロープはソレノイドプランジャーに結合され、
バルブの長手方向軸線に垂直な方向へのソレノイドプランジャーの動きは、スロープの動きに変えられ、それによって、バルブの長手軸線に沿ったプランジャーシャフトの動きを生じる、バルブ。
【請求項１７】
請求項１６記載のバルブにおいて、
バルブブロック及びスロープに結合されると共にバルブブロックとスロープとの間に配置された下ブロックを更に備える、バルブ。
【請求項１８】
請求項１２記載のバルブにおいて、
第１センサー及び第２センサーは、ホール効果センサーである、バルブ。
【請求項１９】
請求項１２記載のバルブにおいて、
バルブブロックは、冷却導管を受け入れる凹部を更に備える、バルブ。
【請求項２０】
流体容器の中に流体を分配するコンピューター実行方法であって、
容器の大きさの情報を受信することと、
流体容器の適当な配置が検知されたことの表示を受信することであって、その適当な配置は、バルブのノズルの接合プレート及び流体容器の底部に配置された接合プレートを結合することを含む、流体容器の適当な配置が検知されたことの表示を受信することと、
バルブと流体容器との間の流体の流路を開くことであって、流体は、流体容器の底部にある開口を通じてノズルから流体容器に流れる、バルブと流体容器との間の流体の流路を開くことと、
バルブのタービンの回転数の表示及び時間に基づいて流体容器に分配される流体の量を決定することと、
容器の大きさの情報の予め決められた閾値内にある分配される流体量に基づいて、流体が流体容器の中に流れるのを停止するために流体流路を閉じることと、を備える、方法。
【請求項２１】
請求項２０記載の方法において、
流体容器の適当な配置が検知されたときに流体が自動的に分配されることを示す受信情報を更に備える、方法。
【請求項２２】
請求項２０記載の方法において、
容器の大きさの情報の予め決められた閾値内で流体が分配される前に、流体が流体容器に流れるのを停止するための受信情報に基づいて流体流路を閉じることを更に備える、方法。
【請求項２３】
請求項２０記載の方法において、
バルブから流体容器に流体が流れるのを許容するために流体流路を閉じることは、バルブ内のソレノイドを作動させることを備える、方法。
【請求項２４】
請求項２０記載の方法において、
バルブ内のタービンの回転数は、ホール効果センサー及びタービンのフィン上に配置された磁気材料を使用することによって検知される、方法。
【発明の詳細な説明】
【技術分野】
【０００１】
（優先権）
本出願は、２０１０年１月１０日付で提出された米国仮特許出願番号６１／２９６３０５及び２０１１年１月１８日付で提出された米国仮特許出願番号１３／００８７８６の優先権を主張し、それは、２００８年５月２０日付で提出された米国仮特許出願番号６１／０５４６８６及び２００９年２月２３日付で提出された米国仮特許出願番号６１／１５４７２６の優先権を主張する２００９年５月１９日付で提出された国際出願番号第ＰＣＴ／ＵＳ２００９／０４４５３４の合衆国法典３５巻３７１条に基づく米国国際段階出願として提出された米国特許出願１２／９９２８８１の一部継続であり、上述の出願の各々は、参照よってその全体が本願に組み込まれる。
【背景技術】
【０００２】
様々なタイプの容器が、缶及びボトルから段ボール箱及び木製の樽まで飲料を保持するために設計される。液体は、大きな容器に蓄えられ、注ぎ口、ホース、ファセット、タップ、または液体貯蔵容器を介して消費のために比較的小さな容器に移送される。そのような移送方法は、供給容器の上部から又は供給容器の充填された液体の表面を通じて供給容器を満たす。しかしながら、上部から供給容器を満たすことは、炭酸飲料の泡を増加させる。その泡を減少させるために、ユーザーは、一般的に、供給容器から余分を吐き出し、それによって、液体を無駄にする。さらに、ユーザーは、落ち着かせるために泡を待たなければならず、それは、余分な供給時間及び注意を必要とする。
【発明の概要】
【発明が解決しようとする課題】
【０００３】
従って、上部から満たす方法は、一般的に、サーバーが、供給容器を正確に配置すること、液体の流れを開始すること、液体の流れを停止すること及び供給容器を取り除くことを含む多くの動作を実行することを必要とし、各動作は、調整を必要とし、サーバーは、通常、充填プロセス中に供給容器と物理的に接触する。さらに、上部から満たす方法のための移動デバイスは、多くの場合、カウンターやサービスエリアに大量のスペースを取り、操作及び制御するために注意を必要とする。
【０００４】
以下の参考文献：Ｃｈａｒｌｅｓの国際公開ＷＯ２００７／１０２１３９及びＨａｎｔｓｏｏなどの米国特許出願公開ＵＳ２００８／０２２３４７８は、ボトムアップ充填のための容器及びデバイスに関し、その各々は、参照よってその全体が本願に組み込まれる。
【課題を解決するための手段】
【０００５】
本明細書中に記載された分配システムは、給仕容器がその底部を通じて充填されるのを許容する。分配システムは、容器の底部に結合された容器結合デバイスを含む。容器結合デバイスは、充填中その底部を流体が流れるのを許容するバルブを含み、それは、分配結合デバイスから外された後に液密シールを提供する。分配結合デバイスは、容器を満たす流体を提供する流体源に結合される。分配結合デバイス及び容器結合デバイスは、充填源と容器と間の流体流路と接合かつその流体流路を提供するように構成される。分配システムは、例えば、たらい、ドレイン、広告スペース、照明などの付加的な特徴を含むことができる。
【０００６】
一実施形態では、分配システムは、洗浄システムを含む。洗浄システムは、容器が取り除かれた後に分配結合デバイスから液体を取り除く。液体を取り除くことは、充填の間分配結合デバイスに蓄積する古い液体の可能性を減らす。洗浄システムは、使用間に分配結合デバイスから液体を取り除くための洗浄流体、例えば、水、アルコール、又は空気で分配結合デバイスを洗浄する。
【０００７】
一実施形態では、除去システムは、その底部を通じた容器の急速な排水を許容する。除去システムは、分配結合デバイスに結合され、容器の前に充填された流体の急速な除去を許容する。除去システムは、分配結合デバイスのバルブを開いて容器から除去システムの端部への流体の流路を形成する。
【０００８】
一実施形態では、流体移送アッセンブリは、その底部の開口を有する流体容器と、開口で流体容器に取り付けられた結合デバイスとを有し、結合デバイスは、対向する第１及び第２の構成要素の磁気吸引力によって閉じた液密位置に結合デバイスを付勢するバルブを含み、対向する第１及び第２の構成要素の各々は、磁気材料を含み、充填デバイスは、流体容器の開口の周囲よりも小さい周囲を有する剛性部材を含み、剛性部材は、長手軸線に沿った通路と、その通路と流体連通した側壁を通じた一つ以上の開口とを含み、結合デバイスは、対向する第１及び第２の構成要素の一つに抗して剛性部材を押圧することによって閉じた液密位置から開いた位置まで移動され、流体容器の内部と流体連通する開口を配置する。
【０００９】
他の実施形態では、分配結合デバイスは、長手軸線に沿った通路と、その通路と流体連通した側壁を通じた一つ以上の開口とを含むノズルと、ノズルの周囲よりも大きい開口を含む、ノズルを取り囲むプラットフォームとを含み、ノズルは開口に配置され、プラットフォームは、開口を少なくとも部分的に取り囲む磁気材料と、閉じた位置の間で分配結合デバイスを変えるプラットフォームに取り付けられた可撓性カラー部材とを含み、可撓性カラー部材及び／又はプラットフォームは、ノズルの一つ以上の開口を覆い、開状態で一つ以上の開口の少なくとも一部分は覆われていない。
【００１０】
さらに別の実施形態では、飲料分配システムは、閉じた状態の容器の底部の開口を付勢するバルブを有する容器を含み、バルブは、磁気キャップを含み、ノズルは、その上面上の又はその上面に隣接した磁気材料を含み、ノズル磁気材料は、バルブの磁気キャップを保持するのに十分な強度を有して、ノズルとキャップとの間の動きがノズルの上面の磁気キャップとの接触で防止され、プラットフォームは、ノズルの一部分を円周方向に取り囲み、プラットフォームは、ノズルの長手軸線に沿って移動する。
【００１１】
別の実施形態では、流体容器は、その底部の開口と、開口の周りの容器の底面に結合された結合デバイスとを含み、結合デバイスは、開口の周りの流体容器の底面と接する第１構成要素を含み、第１構成要素は、磁気材料と、液密封鎖構成の第１構成要素と接触する第２構成要素とを含み、第２構成要素は、磁気材料を含み、流体容器の上部から可視可能な第２構成要素の上面は、個人的または商業的メッセージを含み、結合デバイスは、第１構成要素及び第２構成要素の磁気吸引力によって液密封鎖構成に付勢される。
【００１２】
さらに別の実施形態では、取り付けられた容器から飲料を取り除く除去システムは、取り付けられた容器の底部と接合するように構成された基部と、排出システムが取り付けられた容器に結合されるときに取り付けられた容器の底部上のバルブを開くために基部から突出する指部と、取り付けられた容器から所望の位置まで飲料を導くために指よりも反対側から基部に結合された導管とを含む。
【００１３】
一実施形態では、流体移送方法は、ノズル及びノズルを囲むプラットフォームを含む充填デバイスを提供することを含み、ノズルは、長手軸線に沿った通路と、通路と流体連通する側壁を通じた一つ以上の開口とを有し、プラットフォームは、ノズルの長手軸線に沿って移動して、充填デバイス上に流体容器を配置し、流体容器は、その底部に開口を含み、結合デバイスは、対向する分離可能な第１及び第２構成要素の磁気吸引力によって閉じた液密位置に開口を付勢し、対向する分離可能な第１及び第２構成要素の各々は、流体容器結合デバイスを充填デバイスプラットフォームと整合すると共に、プラットフォームを結合デバイスの外面と接触させてノズルの長手軸線に沿ってプラットフォームを移動する磁気材料を含み、ノズルは、第１構成要素を第２構成要素から分離して、開口を流体容器の内部と連通するように配置する。
【００１４】
一実施形態では、分配システムは、流体をその基部を通じて結合された流体容器の中に分配することが提供される。分配システムは、容器センサーと、流体センサーと、流体の分配を制御するアクチュエーターアッセンブリとを有するバルブを含む。分配システムは、使用者が充填モード及び充填サイズを選択することができるユーザーインターフェースを含む。また、分配システムは、容器センサー及び流体センサーからの信号を受信し、アクチュエーターアッセンブリに信号を送信するように構成されたプロセッサーを含む。アクチュエーターアッセンブリは、プランジャーに結合され、アクチュエーターアッセンブリのソレノイドの動きは、プランジャーを開いて流体の流れを可能にし、又は流体の流れを閉じて停止する。また、バルブは、流体の流量を決定するために流体センサーに結合されたタービンを含み、分配システムは、結合された流体容器を充填するために自動的に実行される。
【００１５】
多数の図面が本発明の実施形態を参照する。本明細書中に記載された発明の実施形態は、様々な修正及び代替的形態に従属されるが、その特定の実施形態は、図面に例として示され本明細書中に詳細に説明される。
【図面の簡単な説明】
【００１６】
【図１】図１は、その底部を通じて容器を満たすための設計の実施形態による飲料ディスペンサーに接続される代表的な容器を示す。
【図２Ａ】図２Ａは、容器が飲料ディスペンサーに接続されるときに閉じた液体保持状態から開いた液体充填状態までの容器の代表的な工程を示す。
【図２Ｂ】図２Ｂは、容器が飲料ディスペンサーに接続されるときに閉じた液体保持状態から開いた液体充填状態までの容器の代表的な工程を示す。
【図２Ｃ】図２Ｃは、容器が飲料ディスペンサーに接続されるときに閉じた液体保持状態から開いた液体充填状態までの容器の代表的な工程を示す。
【図３】図３は、容器接続デバイスの実施形態による上面図からの容器底部の代表的な実施形態を示す。
【図４Ａ】図４Ａは、容器の底部に接続できる多数の部分の容器接続デバイスの代表的な実施形態を示す。
【図４Ｂ】図４Ｂは、容器の底部に接続できる多数の部分の容器接続デバイスの代表的な実施形態を示す。
【図５Ａ】図５Ａは、容器の底部に接続できる容器接続デバイスの代表的な実施形態を示す。
【図５Ｂ】図５Ｂは、容器の底部に接続できる容器接続デバイスの代表的な実施形態を示す。
【図６】図６は、図４に示された容器接続デバイスなどの容器接続デバイスに接続されることができる本発明の実施形態による代表的なディスペンサー接続デバイスを示す。
【図７Ａ】図７Ａは、図４に示された容器接続デバイスなどの容器接続デバイスに接続されることができる本発明の実施形態による代表的なディスペンサー接続デバイスを示す。
【図７Ｂ】図７Ｂは、図４に示された容器接続デバイスなどの容器接続デバイスに接続されることができる本発明の実施形態による代表的なディスペンサー接続デバイスを示す。
【図８】図８は、図４に示された容器接続デバイスなどの容器接続デバイスに接続されることができる本発明の実施形態による代表的なディスペンサー接続デバイスを示す。
【図９Ａ】図９Ａは、容器接続デバイスに接続されることができる本発明の実施形態による代表的なディスペンサー接続デバイスを示す。
【図９Ｂ】図９Ｂは、容器接続デバイスに接続されることができる本発明の実施形態による代表的なディスペンサー接続デバイスを示す。
【図１０】図１０は、流体源と容器との間の流体の流れのための開位置状態の図６のディスペンサー接続デバイスに接続された図４の容器接続デバイスを示す。
【図１１】図１１は、流体源と容器との間の流体の流れのための開位置状態のディスペンサー接続デバイスに接続された図５の容器接続デバイスを示す。
【図１２】図１２は、容器接続デバイスを有する容器と、本明細書中に記載された様々な特徴をもつディスペンサー接続デバイスを有するディスペンサーとを含む、本発明の実施形態による代表的な分配システムの分解図を示す。
【図１３】図１３は、本発明の実施形態による代表的な洗浄デバイスを示す。
【図１４Ａ】図１４Ａは、使用後に分配システムから液体を取り除くための洗浄デバイスの一実施形態を示す。
【図１４Ｂ】図１４Ｂは、使用後に分配システムから液体を取り除くための洗浄デバイスの一実施形態を示す。
【図１５】図１５は、洗浄デバイスを含む本明細書中に記載された様々な実施形態を含む例示的な分配システムを示す。
【図１６Ａ】図１６Ａは、本明細書中に記載された容器接続デバイスで使用される除去システムの代表的な実施形態を示す。
【図１６Ｂ】図１６Ｂは、本明細書中に記載された容器接続デバイスで使用される除去システムの代表的な実施形態を示す。
【図１７】図１７は、いくつかの実施形態による、分配システムのバルブの代表的な前方上右斜視上図を示す。
【図１８】図１８は、いくつかの実施形態による、分配システムのバルブの代表的な上面図を示す。
【図１９】図１９は、いくつかの実施形態による、分配システムのバルブの代表的な後正面図を示す。
【図２０】図２０は、いくつかの実施形態による、分配システムのバルブの代表的な左側正面図を示す。
【図２１】図２１は、いくつかの実施形態による、分配システムのバルブの代表的な後方左上面図を示す。
【図２２】図２２は、いくつかの実施形態による、分配システムのバルブの代表的な後方左下面図を示す。
【図２３】図２３は、いくつかの実施形態による、分配システムのバルブの代表的な後方左上分解図を示す。
【図２４】図２４は、バルブブロック、及び、いくつかの実施形態による、バルブのいくつかの内部要素を図示するために破線で示された下ブロックを有するバルブの代表的な後方右上面図を示す。
【図２５】図２５は、いくつかの実施形態による、バルブが閉じたときの位置にあるソレノイドを示すバルブの代表的な断面図を示す。
【図２６】図２６は、いくつかの実施形態による、バルブが閉じたときの位置にあるソレノイドを示すバルブの代表的な断面図を示す。
【図２７Ａ】図２７Ａは、いくつかの実施形態による、多数のバルブを有する分配システムのハウジングの代表的な前方上右側図面を示す。
【図２７Ｂ】図２７Ｂは、いくつかの実施形態による、ユーザーインターフェースの代表的な詳細図を示す。
【図２８】図２８は、いくつかの実施形態による、多数のバルブを有する分配システムの代表的な下方前右側図面を示す。
【図２９】図２９は、いくつかの実施形態による、バルブに接続された源チューブを示す分配システムの代表的な底面図を示す。
【図３０】図３０は、いくつかの実施形態による、絶縁体の第１層を有する源チューブを示す分配システムの代表的な底面図を示す。
【図３１】図３１は、いくつかの実施形態による、絶縁体の第２層を有する源チューブを示す分配システムの代表的な底面図を示す。
【図３２】図３２は、いくつかの実施形態による、移送中に制御されることができる源流体の温度がどの程度かを示す代表的な冷却システムを示す。
【図３３】図３３は、いくつかの実施形態による、代表的な分配論理図を示す。
【図３４】図３４は、いくつかの実施形態による、代表的な分配フロー図を示す。
【発明を実施するための形態】
【００１７】
代表的な実施形態の以下の説明では、本発明が実施されることができる特定の実施形態の図によって示される、その一部分を形成する添付の図面が参照される。他の実施形態が使用されることができ、構造の変形は、本発明の実施形態の範囲から逸脱しないで行われることを理解されるべきである。本明細書中に使用されるように、用語“結合する”、“接続する”及び“取り付ける”は、交換可能であり、直接的または間接的に部品を他の部品に接続する様々な形態を含む。また、一実施形態に記載れた一つ以上の構造的特徴は、その特徴であるように具体的に説明されていない場合でも異なる実施形態で実施することができることを理解すべきである。
【００１８】
以下の説明では、本発明の完全な理解を提供するために、具体的なコンテの予備液体の例などの多数の具体的な詳細が記載される。しかしながら、本発明はこれらの具体的な詳細なしに実施されることができることを当業者に明らかになるであろう。例えば、説明は、ベールをグラス又はピッチャーの中に分配するための樽で使用されるデバイスに関して概ね議論されるが、デバイスは、炭酸飲料などの他の飲料で使用されることができ、グラスやマグなどの他の飲料水容器及び樽以外の貯蔵容器で使用されることができる。また、使い捨てカップは、公園、コンサート又はガラスが許可されていない他の会場で飲料に使用されることができ代替的な容器として想定される。代替的に、デバイスは、貯蔵され及び移送される液体のタイプに限定されない。例えば、デバイスの実施形態は、例えば、オイルなどの以下の説明による二つの容器間で様々な流体を移送するのに使用されることができる。また、ガス状物質は、アッセンブリの実施形態を使用して移送されることができる。特定の詳細部は、変更されることができ、本発明の精神及び範囲内にある。
【００１９】
本明細書中に記載された流体移送アッセンブリ及び流体移送方法は、ターゲット市場に到達するための新規な手段（例えば、本明細書中に記載された新規な連結デバイスを含むマグカップやピッチャーの表示可能でおそらく取り外し可能な部分上のロゴ／スローガンなどのメッセージの使用）を提供するなどの、より有効で好悪率的にビールなどの炭酸飲料の販売／供給を含む、商業上のアプリケーションで利点を提供すると考えられる。本明細書中に記載された流体移送アッセンブリ及び流体移送の方法は、また、炭酸飲料で容器の充填及びアッセンブリの部分のカスタマイズを含むローカル設定に利用されることができる消費者向け製品としての利点を提供すると考えられる。例えば、家族又はグループは、本明細書中に記載された流体移送アッセンブリ及び流体移送の方法を使用してパーティーや特別なイベントを開催でき、パーティーのテーマ（例えば、“５０歳の誕生日”、“”家族の年次ＢＢＱ“など）を表示するピクチャー及び／又はテキストを含むメッセージを含むように容器の可視可能な部分をカスタマイズすることがここに考えられる。さらなる例では、スポーツチームの表現、結婚式の日、グラフィックス、面白い写真、ジョークなどを含む。容器又はアッセンブリのそのような可視可能な部分は、パーティー又は特別なイベントに出席する各当事者に家に持ち帰る記念品を提供するために、以下に説明されるように取り外し可能である（例えば、磁気キャップ）。
【００２０】
一実施形態では、その底部を通じて容器を満たす方法が提供される。本明細書中に記載されたデバイス及び方法の使用を介して底部を通じて容器を満たすことは、例えば、上来の方法に比べて、ソーダーやビールなどの炭酸飲料の生じた泡の量を制御し、その炭酸飲料の“頭部”を著しく減少させる利点がある。さらに、容器の底部を通じて満たすことにより、泡は、容器の縁上に押し上げられ、それによって、無駄な飲料の量を減らすことができる。また、サーバーは、泡を取り除くために注ぎながらグラスやピッチャーを保持しかつ傾ける必要がないことによる利益を受ける。さらに、つぐ数が、同じシステムから注がれる飲料のタイプよりも減少される。代替的な実施形態は、底部を通じて容器を満たすための分配システムアッセンブリ及びデバイスを含む。そのシステムの他の実施形態は、使用間で洗浄するために液体の排出、及び、容器を満たした後に飲料を取り除くために迅速な排水アタッチメントを含む。
【００２１】
一実施形態では、分配システムは、例えば、ビール、ソフトドリンク、炭酸飲料などの飲料を含む様々な流体を分配するのに使用される。流体は、分配システムと関連したノズルを介して分配されることができる。ノズルは、流体容器の底部で流体容器に連結される。分配システムは、使用者が分配モード、分配量などを特定することができるオプションを含むユーザーインターフェースを含む。ユーザーインターフェースは、プロフェッサーと関連される。分配システムは、自動モード、半自動モード、又は手動モードで流体を分配することができる。センサーは、流体容器が分配プラットフォームに正確に配置されるときに検知するために使用されることができる。また、センサーは、流体容器が分配プラットフォームに正確に配置される場合を除くあらゆるモードで流体がなれるのを防止する安全デバイスとして使用されることができる。さらに、センサーは、分配システムが次の充填のためにリセットされるあるいはクリーニングのために洗浄を実行するように流体容器が取り除かれたときに分配システムに示すために使用されることができる。
【００２２】
図１は、底部を通って容器を充填するための設計の実施形態に係る飲料ディスペンサーに接続されている代表的な容器を示す。図１を参照すると、ディスペンサー１００は、接続され充填される準備がされた容器１０２を含んで示される。ディスペンサー１００は、ソーサ、ビールなどの炭酸飲料を含む飲料を分配するために使用される。容器１０２は、例えば、パイントガラス、マグカップ、使い捨てグラス、又はピッチャーを含む、液体を受け入れるためのあらゆる容器にすることができる。容器１０２は、容器１０２の底部１０４で又は近くでディスペンサー１００に接続される。従って、容器１０２は、分配処理中に充填する飲料の表面より下方で充填される。
【００２３】
一実施形態では、容器１０２は、ディスペンサー接続デバイス１０８に接続するように設計された容器接続デバイス１０６を含む。ディスペンサー１００は、樽又は炭酸及びソーダーラインなどの流体源に接続される。容器接続デバイス１０６は、ディスペンサー接続デバイス１０８に接続されたときに開き、そこを通る流体の流れを許容するバルブを含む。容器接続デバイス１０６は、容器１０２がディスペンサー１００から取り除かれたときに閉じ、それによって、容器１０２からの漏れを防止する。ディスペンサー１００は、容器接続デバイス１０６をディスペンサー接続デバイス１０８と正確に整合するように形状付けられたハウジング１１０を含む。また、ディスペンサー１００は、潜在的なこぼれる液体を捕まえるためにたらい１１２を含む。たらい１１２は、ボウル、立ち上がったリップ又は凹部領域などの様々な形状を含む。たらい１１２は、捕まえた液体を容易に処理するためのドレイン１１４を含む。
【００２４】
本発明の一態様によれば、使用中、容器１０２は、ディスペンサー１００に接続される。取り付けが行われると、容器接続デバイス１０６及びディスペンサー接続デバイス１０８は、容器と流体源との間に流体通路を形成するように係合し、容器１０２は、その底部から充填される。使用者は、充填処理中に容器の上部で形成された余分な泡を除去するために容器をこぼすことができる。代替的に、流体は、除去処理中又は充填処理中にこぼれることができる。たらい１１２は、こぼれる液体を捕まえるために設計され、こぼれる液体は、洗浄を容易にするためにドレイン１１４を通して取り除かれる。容器１０２がディスペンサー１００から取り除かれると、容器接続デバイス１０６は、ディスペンサー接続デバイス１０８から取り外され、容器１０２を漏れから密封する。
【００２５】
一実施形態では、ディスペンサー１００は、液体源から取り外されるが、ホース又はチューブ又は他の液体移送デバイスによって接続される別個のデバイスにすることができる。ディスペンサー１００は、カウンターなどの不動の表面に組み込まれあるいは連結されることができ、または、使用者の都合に合わせて配置された独立的に移動可能なプラットフォームにすることができる。また、ディスペンサー１００は、様々な形状にすることができ、ハウジング１１０、たらい１１２又はドレイン１１４などの付加的な特徴を含む。ディスペンサー１００は、代替的にオーディオ又はビジュアル機器を含むことができる。例えば、特定のディスペンサーと関連したコンテンツを識別する情報、ロゴ又はデザインを含むことができる。一実施形態では、ディスペンサー１００は、容器１０２がディスペンサーに接続されたときにつく、着色された光又はフラッシュ又はスピーカーを含むことができる。
【００２６】
図２は、容器２０２がディスペンサー接続デバイス２０４に接続されたときに閉じた液体保持状態から開いた液体充填状態までの容器２０２の例示的な実施形態の代表的な工程を示す。一実施形態では、容器接続デバイスは、例えば、通常閉じているキャップ２０６などのバルブを含む。キャップ２０６は、容器２０２の底部に接続され、流体が容器の底部の外に流れるのを防止するために液密シールを提供する。
【００２７】
一実施形態では、キャップ２０６は、消費者が彼らの飲料を消費している間に消費者に認識できる広告スペースとして使用されることができる。例えば、そのような実施形態では、キャップ２０６は、ロゴ、イメージなどを含み、消費者に営利事業を促進するあるいは消費者に他の情報を中継する。一実施形態では、キャップ２０６は、それ自体あるいはその取り外し可能な部分が磁気材料及び商業情報を含み、それによって、会社又は製品を促進することを提供する。例えば、磁気材料は、会社名及び／又はロゴを有することができ、会社名及び／又はロゴが顕著に示されるように冷蔵庫又は他の金属構造物で使用するためのお土産として消費者によって持ち帰られることができる。
【００２８】
容器２０２に接続される間、ディスペンサー接続デバイス２０４は、キャップ２０６を開き、ディスペンサー接続デバイス２０４と容器２０２との間に流体の流れを許容するデバイスを含む。ディスペンサー接続デバイス２０４は、樽、筒、又は他の容器などの液体貯蔵容器に接続される。ディスペンサー接続デバイス２０４は、液体を貯蔵容器（図示せず）から供給する又は他の容器２０２に移送する導管を含む。導管は、流体流路をよじれたり妨げたりしないで貯蔵位置から分配位置まで内容を案内するために一般的に柔軟である。
【００２９】
図２Ａは、流体を保持することができる閉じた構成の容器２０２を示す。容器２０２は、キャップ、ピッチャー、パイント、マグカップなどあるいはあらゆる中身が詰まっていない容器を含む、飲料保持容器にすることができる。容器２０２は、容器２０２を支持するために使用される底部２０８と、流体を保持する側壁とを含む。また、容器２０２は、注ぐ又は飲むためなどの収容された流体を分配するための上部開口を含む。底部２０８は、上部開口から隔離され、充填中流体の流れを許容する底部開口を有する。底部開口は、容器が満たされていないときに液密シールを生じるバルブによって覆われる。一実施形態では、バルブは、液密シールを形成するために通常、付勢によって閉じるキャップ２０６を含む。キャップ２０６は、容器２０２の底部２０８のリング２１０の相補的磁気材料に引きつけられる磁気材料を含む。リング２１０は、穴の外縁を概ね取り囲み、キャップ２０６は、その穴を覆う形状及び直径を有すると共にそのリングの少なくとも一部分と重なる。
【００３０】
図２Ｂは、容器のバルブが開く前にディスペンサー接続デバイス２０４と接する容器２０２を示す。ディスペンサー接続デバイス２０４は、容器２０２の底部開口と整合される。容器２０２のキャップ２０６は、例えば、リング２１０に対する磁気吸引力によって付勢的に閉じられる。ディスペンサー接続デバイス２０４は、充填中に流体の流れを許容する穴２１４を有するノズル２１２を含む。ノズル２１２は、容器２０２の底部開口の内側に嵌合するように寸法づけられる。ノズル２１２は、キャップ２０６に対して押して、充填のための流体の流れを許容するために容器２０２のバルブを開く。
【００３１】
図２Ｃは、容器のバルブが充填のために開いているときにディスペンサー接続デバイス２０４に接続された容器２０２を示す。ノズル２１２は、ノズルが容器２０２に入り開口２１４をさらすようにキャップ２０６に抗して押す。一実施形態では、ひとたび容器２０２とディスペンサー接続デバイス２０４とが接続されると、流体は、ディスペンサー接続デバイス２０４のバルブを開くことによって流れることを許容される。代替的な実施形態では、開口がさらされると流体は自動的に流れる。例えば、ディスペンサー接続デバイス２０４の中の液体は、圧力によって保持される。使用されないときには、開口２１４は、プラットフォーム２１６によって覆われる。容器２０２が飲料ディスペンサーに接続されると、ノズル２１２は、キャップ２０６を押し、容器のバルブを開き、同時に、容器の底部２０８は、プラットフォーム２１６に抗して押し、開口２１４をさらす。ひとたび開口２１４がさらされると、液体は、ディスペンサー接続デバイス２０４から開口２１４を通じて容器２０２の中に流れる。
【００３２】
ノズル２１２が容器２０２の底部から取り除かれると、容器のバルブは、液体が容器の中に保持されるように容器を閉じて密閉する。バルブが密閉されると、容器２０２は、新たに追加された液体を保持するために使用される。一実施形態では、キャップ２０６は、リング２１０に継続的に引っ張られる。ノズル２１２の影響が除去されると、キャップ２０６は、リング２１０に対して閉じた位置に配置し、容器２０２を密閉する。ディスペンサー接続デバイス２０４からの流体は、飲料ディスペンサー上のバルブを閉じることによって収容される。一実施形態では、キャップ２０６が容器２０２を密閉すると、プラットフォーム２１６は開口２１４を密閉する。従って、流体は、容器２０２が取り付けられていないときにディスペンサー接続デバイス２０４の外に自由に流れるのを防止される。
【００３３】
図３乃至図５は、容器の底部に接続された容器接続デバイスの代表的な実施形態を示す。上述のように、容器接続デバイスは、ディスペンサー接続デバイスに接続するように設計される。容器接続デバイスは、そこを通って流れる流体を許容するディスペンサー接続デバイスに接続されるときに開くバルブを含む。容器接続デバイスは、容器がディスペンサーから取り除かれたときに閉じて、容器からの漏れを防止する。
【００３４】
図３は、穴３０２、キャップ３０４及びリング３０６を含む、上部からの容器底部３００の代表的な実施形態を示す。穴３０２は、容器の底部から充填する間流体の流れを許容する。リング３０６は、穴３０２の周縁を囲む。キャップ３０４は、穴３０２及びリング３０６の少なくとも一部分を覆い、リング３０６上に張り出す。キャップ３０４及びリング３０６は、鉄金属などの磁気材料を含む。磁気特性は、キャップ３０４をリング３０６に引き付け、穴３０２を密閉する。キャップ３０４は、容器の底部３００に接続され、キャップは、リング３０６への磁気吸引力などによって容易に取り除かれる。リング３０６は、接着剤、ねじ締め、又は、容器底部への一体的な成型などによって、容器底部３００により恒久的に接合される。キャップ３０４及び／又はリング３０６は、Ｏ−リング又はガスケットなどの密閉デバイスを含み、穴３０２の周りの液密シールをより確実にする。代替的に、容器の底部３００は、液密シールを形成するためにキャップ３０４とリング３０６との間にゴムなどの密閉材料を含む。
【００３５】
キャップ３０４は、様々な形状にすることができる。例えば、一実施形態では、キャップは、容器の底部３００の内側に嵌合する平らで概ね円形なディスクにすることができる。代替的に、キャップ３０４は、穴３０２と接する輪郭面を含み、キャップ３０４を穴３０２に正確に整合するあるいは穴に対してより密閉を形成する。一実施形態では、キャップ３０４は、ディスペンサー接続デバイスと接合するように輪郭づけられる。例えば、キャップ３０４は、ディスペンサー接続デバイスの一部分を収容するために下側に凹部輪郭を含み、充填処理中に所望の位置にキャップ３０４を保持する。
【００３６】
図４Ａ−Ｂは、容器の底部に互いに接続可能な上区分及び下区分を含む容器接続デバイス４００の代表的な実施形態を示す。図４Ａは、組み立てられていない状態の上区分及び下区分の代表的な実施形態の断面図を示し、図４Ｂは、上区分及び下区分が互いに底部解雇王の周りで容器に取り付けられた状態の組み立てられた上他の代表的な実施形態の断面図を示す。容器接続デバイス４００の取り付け可能な区分は、クリーニングのためあるいは他の容器での使用のために容器接続デバイスの取り外しを許容する。上区分及び下区分４０２、４０４は、ねじ込められて容器４０６の底部の開口４０８を通じて互いに係合する。上区分及び下区分は、代替的に、接着または結合のような他の手段によって接合される。容器接続デバイスは、代替的に、容器の底部に直接的に一体にされることができる。
【００３７】
一実施形態では、上区分４０２は、下区分に接続されて容器接続デバイス４００を形成する。下区分４０４は、容器４０６の底部の開口４０８よりも小さい直径を有する概ね円筒形のシャフト４１０を含む。開口４０８及びシャフト４１０の直径は、概ね同じ大きさであり、ぴったりとした嵌合を形成し、容器接続デバイス４００と容器４０６との間の漏れの減少及び正確な整合を支援する。シャフト４１０は、代替的に、容器４０６の開口４０７よりも比較的に小さく、代替的に寸法づけられた容器接続デバイスが容器の底部に接続されるのを許容する。シャフト４１０の内径は、以下に説明されるようにディスペンサー接続デバイスを収容するように寸法づけられ形状づけられる。シャフト４１０の外側は、ねじ山４１２を含み、上区分４０２と係合する。上区分４０２は、下区分４０４のねじ山４１２と係合するためのねじ山４１６を含む内側開口４１４を有する概ね円筒形状にすることができる。
【００３８】
また、下区分４０４は、シャフト４１０の基部にあるフランジ４１８を含む。フランジ４１８は、開口４０８よりも大きい外径を有し、容器４０８の底部と係合する表面を提供する。フランジ４１８は、Ｏ−リング又はガスケットなどの密閉部材４２０を含む。シール４２０は、上区分４０２が液密シールを形成するために下区分４０４と係合するときに容器４０６の底側面を押す。また、上区分４０２は、そこ側面上のシール部材４２２を含み、容器４０６の上面に対して押す。従って、容器４０６の一部分は、容器接続デバイスの上区分４０２及び下区分４０４のシール部材で挟まれる。
【００３９】
容器接続デバイス４００は、磁気材料及び上区分４０２と接合するように構成された形状を含むキャップ４３０を含む。一実施形態では、上区分４０２は、キャップ４３０の外面と接合する内面を有するリム４２８を含む。もちろん、代替的な実施形態では、リムは、キャップの内面と接合する外面を有することができる。リム４２８は、キャップ４３０を上区分４０２の内側開口４１４上の中央位置に導くために傾斜した内側縁部を有する概ね円筒形のリムにすることができる。傾斜した縁部は、ディスペンサー接続デバイスがキャップを上区分から離れる方向に押す時に上区分４０２とキャップ４３０との間に空間を形成することを可能にする。一実施形態では、上区分４０２は、磁石４２４を含み、閉じた位置にキャップを付勢するためにキャップ４３０の磁石４３２に引き付ける。二つの磁石４２４及び４３２は、リング又はそれぞれの区分に接合された別個の磁石片にすることができる。磁石は、付着され、結合され、一体成形され、成型され、又はキャップを上区分に引き付けるためにそれぞれの区分に取り付けられることができる。代替的に、上区分及び／又はキャップに使用される材料は、磁性体にすることができる。一実施形態では、キャップ４３０は、ディスペンサー接続デバイス（図示せず）と接合する凹部４３４を含む。凹部４３４は、キャップ４３０を上方に押すことによりバルブを開くディスペンサー接続デバイスの一部分を収容し、キャップ４３０と上区分４０２との間に空間を提供する。ディスペンサー接続デバイスが取り除かれるとき、キャップと上区分との間の磁気吸引力は、バルブを閉じ、上区分のリムは正確な整合を確実にする。上区分及び／又はキャップは、Ｏ−リング又はガスケットなどのシールを含み、バルブが閉じられたときに漏れをさらに防止する。
【００４０】
一実施形態では、容器接続デバイス４００は、一つ以上の磁石を含む。上述のように、上区分４０２は、磁石を含み、容器接続デバイス４００用のバルブとして作用するためにキャップ４３０を引き付ける。一実施形態では、下区分４０４は、容器接続デバイス４００をディスペンサー接続デバイス（図示せず）に接続するために磁石４２６を含む。磁石４２６は、接着され、付着され、結合され、一体成形され、あるいは、下区分４０４、例えばフランジ４１８に取り付けされる。磁石４２６は、ディスペンサー接続デバイスの基部又は区分に含まれた別の磁石又は磁性体を引き付け、充填中容器を安定にする。容器接続デバイス４００は、一つ以上のシールを含み、容器接続デバイスとディスペンサー接続デバイスとの間に液密接続を提供する。例えば、下区分４０４は、ディスペンサー接続デバイスに接続するためにシール４３６を含む。上区分４０２がシール４３８を含み及び／又はキャップ４３０がシール４４０を含んで、容器接続デバイス４００が閉じた状態にあるときにキャップ４３０と上区分４０２との間に液密接続を提供する。シールは、Ｏ−リング又はガスケットなどの当業者に知られたあらゆるシールデバイスにすることができる。
【００４１】
図５Ａ−Ｂは、デザインの態様による容器の底部に接続することができる容器接続デバイスの代表的な実施形態を示す。図５Ａは、閉じた液密状態の容器接続デバイスであり、図５Ｂは、開状態に示された同じ容器接続デバイスである。バルブが閉じられると、液体は、別の源から容器に移送される。上区分５０２は、下区分５０４と接合されて、容器接続デバイス５００が容器から容易に接合／非結合するのを許容する。上区分５０２は、キャップ５３０が図４Ｂに示され上述したように、上区分５０２から自由に非関連しないように変更されることができる。
【００４２】
一実施形態では、上区分５０２は、キャップ５３０を円周方向に取り囲む概ね円筒形のリム５２８を含む。キャップ５３０は、リムの縦軸線を上下に移動することを許容されるが、上区分５０２から自由に非接合されるのを防止される。例えば、キャップ５３０は、中央部分の周りの円周のフランジを有する概ね円筒形ボタンにすることができる。フランジは、上区分５０２の内面内の空間内に配置する。空間の高さは、フランジの高さよりも大きく、キャップは、フランジが空間の二つの下付き表面と接する点の間で画定された距離内で移動することができる。一実施形態では、上区分５０２は、キャップ５３０が開状態にあるときに流体の流れ通路を形成する開口５３６をさらに含む。例えば、キャップ５３０が上又は開状態にあるとき、通路は、下区分５０４のシャフトと上区分５０２の開口５３６との間に形成される。キャップ５３０が下又は閉位置にあるとき、通路は閉じられる。キャップ５３０、上区分５０２及び／又は下区分５０４は、シールを含み、キャップが閉じた状態にあるときに流体の漏れを防止する。キャップ５３０、上区分５０２及び／又は下区分５０４は、キャップ５３０を閉じた状態に付勢する磁石を含む。
【００４３】
図６乃至９は、ディスペンサー接続デバイスの代表的な実施形態を示す。上述のように、ディスペンサー接続デバイスは、容器接続デバイスに接続されるように設計される。ディスペンサー接続デバイスは、樽又はソーダー噴水シロップ炭酸容器などの流体源と接続する。ディスペンサー接続デバイスは、ベース、たらい、ドレイン、広告エリア、照明、音などの図１に示され上述された付加的な特徴を含むことができる。容器接続デバイス及びディスペンサー接続デバイスの様々な実施形態は、様々な実施形態の特徴を含むように変更されることができる。ディスペンサー接続デバイスの代表的な実施形態は、代表的な容器接続デバイスに対応するという点で後述されているが、これらのデバイスは、当業者に明白なように混合され又は変更されることができる。
【００４４】
図６は、図４Ａ−Ｂに示されたものなどの容器接続デバイスに接続される本発明の実施形態による代表的なディスペンサー接続デバイス６００を示す。ディスペンサー接続デバイス６００は、長手方向軸線に沿った通路及び剛性部材又はノズル６０２の側壁を通る一つ以上の開口６０４を含む剛性部材又はノズル６０２を含む。剛性部材又はノズルの通路は、流体源と流体連通する。ノズル６０２は、キャップ４３０などのそのバルブ部材に抗して押すことにより容器接続デバイス４００を開くように設計される。ノズル６０２の上部は、キャップがノズルによって保持されるようにキャップ４３０の凹部４３４と接合するように輪郭づけられ又は形状づけられる。ディスペンサー接続デバイス６００は、磁石又は磁性材料を含み、容器接続デバイス４００を固定する。例えば、ディスペンサー接続デバイス６００は、容器接続デバイス４００の下区分４０４の磁石４２６に接合する磁性リング６０８を含むプラットフォーム６０６を含む。また、ディスペンサー接続デバイス６００は、ディスペンサー接続デバイス６００と容器接続デバイス４００との間に液密接続を形成するためにシール６１０を含む。カラー６１２は、プラットフォーム６０６とノズル６０２との間に接合されて、プラットフォームがノズル６０２の縦軸線に沿って移動するのを許容する。
【００４５】
図７Ａ−Ｂは、図４Ａ−Ｂに示されたものなどの容器接続デバイスに接続される本発明の実施形態による代表的なディスペンサー接続デバイス７００を示す。図７Ａは、閉じた状態のディスペンサー接続デバイス７００を示し、図７Ｂは、開いた状態のディスペンサー接続デバイス７００を示す。図６と同様に、ディスペンサー接続デバイス７００は、流体源とディスペンサーデバイスとの間に流体通路を容器に形成するために開口７０４を有するノズル７０２を含む。また、ディスペンサー接続デバイスは、シール７０８を含むプラットフォーム７０６を含み、ディスペンサー接続デバイス７００と容器接続デバイスとの間の流体の漏れを防止する。
【００４６】
一実施形態では、ディスペンサー接続デバイスは、カラー７１０を含む。カラー７１０は、プラットフォーム７０６をディスペンサー接続デバイス７００に保持するために使用される。付加的に、カラー７１０は、ディスペンサーが使用されないときにノズル７０２を覆うように使用され、それによって、潜在的に、漏れを減少する、又はディスペンサーに入る汚れやごみを減少する。また、プラットフォーム７０６は、ディスペンサーが使用されないときにノズル７０２を密閉するのに使用されるリム７１２を含む。リム７１２は、上縁部が下縁部よりも小径になるように傾斜した外側周壁を含む。減少した上部直径は、ディスペンサー接続デバイスを容器接続デバイスと正確に接合するのを助ける。
【００４７】
図８は、図３に示されたものなどの容器接続デバイスに接続される本発明の実施形態による代表的なディスペンサー接続デバイス８５０を示す。ディスペンサー接続デバイス８５０は、容器の底部３００と接合し、流体ディスペンサーと容器との間の接合を充填中密閉する。ディスペンサー接続デバイス８５０は、カウンター又は他の給仕プラットフォーム（図示せず）に接続される。ディスペンサー接続デバイス８５０は、液体貯蔵容器、液体貯蔵容器に対する導管などに接続される。
【００４８】
一実施形態では、ディスペンサー接続デバイス８５０は、ノズル８５２を含む。ノズル８５２は、穴３０２内に嵌合するように寸法づけられた概ね円筒形状の注ぎ口にすることができる。ノズル８５２は、リング３０６でその密閉を壊すためにキャップ３０４に抗して押すのに使用される。ノズル８５２は、液体が通って流れて容器（図示せず）の中に分配するのを許容する一つ以上の開口８５４を含む。飲料ディスペンサーは、ひとたび容器がディスペンサー接続デバイスに接合されると流体が流れるのを許容するスイッチを含む。ノズル８５２は、その上縁部に沿ったディスク８６２を含む。ディスク８６２は、広告スペースを提供するために使用され、あるいは、飲料ディスペンサーに結合された飲料を識別するために使用される。例えば、ディスク８６２は、飲料の種類を示すために今日の多くの施設で使用されている既存のビールのタップに交換することができ、ブランドが廃止されたときに出血サービスなどの他のノスタルジックな可能性を有することができる。
【００４９】
一実施形態では、ディスペンサー接続デバイス８５０は、プラットフォーム８５６を含み、容器をディスペンサーと正確に整合するのを助ける。プラットフォーム８５６は、容器をノズル８５２に調節して接合するように形状づけられる。例として、プラットフォーム８５６の外縁は、容器の底部リムの内面に適合する概ね円筒形状にすることができる。プラットフォーム８５６の外縁は、容器の底部リムを所定の位置に案内し、容器をノズル８５２と正確に整合するようにわずかに先細りにすることができる。代替的に、プラットフォームは、容器の外縁が嵌合する上リム（図示せず）を含む。上リムは、様々な大きさの容器をノズル８５２と正確に整合するために段階状にされる。
【００５０】
一実施形態では、容器に接合されるときに流体ディスペンサーからの漏れを防止するために、開口８５４は、プラットフォーム８５６によって閉じられる。プラットフォーム８５６は、使用されないときに開口８５４を密閉するのに使用される。一実施形態では、プラットフォーム８５６は、閉じた状態のときに開口８５４を円周方向に取り囲む。プラットフォーム８５６は、ノズル８５２上で軸方向に摺動でき、プラットフォーム８５６が充填中に開口８５４をさらすのを許容する。使用中、容器の底部３００は、ノズル８５２が穴３０２に入るのを許容しながらプラットフォーム８５６を押し、従って、開口８５４をさらす。プラットフォーム８５６は、充填後に閉じた状態に戻すことができる。プラットフォーム８５６は、スプリングなどの付勢力で動くことができる。代替的に、プラットフォーム８５６は、容器がノズルから取り除かれるために立ち上げられたときに、プラットフォームと容器との間の磁気吸引力の作用で閉じた状態に戻すことができる。プラットフォーム８５６及び／又はノズル８５２は、ノズルに対してプラットフォームを閉じた状態に固定するために戻り止め及びフランジを含む摩擦接合を含む。この接合は、打ち勝ち、それによって、プラットフォーム上の容器の下方力によってノズルの流路を開く。一実施形態では、記載された密閉プラットフォームは、飲料ディスペンサーと容器との間の流れを開始するためのバルブとして使用され、それによって、ノズル８５２の開口８５４がさらされるとすぐに流体の流れを許容する。
【００５１】
ディスペンサー接続デバイスは、磁石又は磁性材料を含み、容器接続デバイス内に対応する磁石又は磁性材料を引き付ける。例えば、プラットフォーム８５６は、充填中にプラットフォーム８５６に容器を固定するために使用される磁性材料を含むリング８６４を含む。プラットフォーム８５６のリング８６４は、容器３００の底部上のリング３０６を引き付けるのに使用される。一実施形態では、ディスク８６２は、容器がノズル８５２上に配置され開状態にあるときに容器接続デバイスのキャップ３０４を保持するための磁性材料を含む。
【００５２】
プラットフォーム８５６及び／又はノズル８５２は、ノズルとプラットフォームと容器との間の液密接続のための一つ以上のシールを含む。例えば、ノズルは、開口８５４の上縁を密閉するためのシール８５８を含み、プラットフォーム８５６が閉じた状態の間開口８５４の下縁を密閉するシール８６０を含む。プラットフォーム８５６は、上面にシール８６６を含み、開いた状態のときに容器とプラットフォームとの間にシールを形成する。シールは、液密シールを維持するためにゴムのＯ−リング又は他のガスケットを含む。
【００５３】
プラットフォーム８５６及び／又はノズル８５２は、プラットフォーム８５６がノズル８５２の端部から外れて摺動するのを防止するように形状づけられる。例えば、プラットフォーム８５６の上縁は、例えばシール８５８でノズル８５２の上部に抗して配置する大きな内径を有する。ノズル８５２の上部は、大きな大径を有し、プラットフォーム８５６の大きな内径と一致する。ノズル８５２の大きな外径は、プラットフォーム８５６がノズルの上縁から外れて摺動するのを防止する。シール８５８は、ノズル８５２にプラットフォーム８５６を保持するためのノズル８５２の大きな外径として使用され、ノズル及びプラットフォームが閉じた状態にあるときにシールを形成する。この実施形態は、シール８５８が付加される前にプラットフォーム８５６が取り付けのためにノズル８５２の上部上を摺動するので、容易な取り付けを可能とする。
【００５４】
図９は、容器接続デバイスに接続される本発明の実施形態による代表的なディスペンサー接続デバイス９００を示す。図９Ａは、閉じた状態のディスペンサー接続デバイス９００を示し、図９Ｂは、開いた状態のディスペンサー接続デバイス９００を示す。ディスペンサー接続デバイス９００は、その底部を通じて容器を充填するためのノズル９０２を含む。ノズル９０２は、開口９０８を含み、飲料ディスペンサーと容器との間に流体流路を形成する。ディスペンサー接続デバイス９００は、ノズル９０２及びノズルを囲むプラットフォーム９０４を含み、プラットフォームは、そこを通ってノズルが移動することを許容される開口９１２を含む。プラットフォームは、可撓性部材として図９Ａ−Ｂに示されたカラー９０６に直接的に取り付けられ、カラー９０６は、ディスペンサー接続デバイスの閉じた位置でノズルの開口９０８を覆い、ディスペンサー接続デバイスの開いた位置で開口９０８を覆わない。
【００５５】
カラー９０６は、ノズル９０２に関してプラットフォーム９０４の移動を許容するために可撓性材料で作られるに加えて、ノズル９０２からの漏れを防止するためにゴム又はプラスチックなどの液密材料で形成される。ディスペンサー接続デバイスの閉じた位置では、プラットフォーム９０４の開口は、ノズルの端面と概ね一致して配置される。ディスペンサー接続デバイスの開いた位置では、カラーは、ノズル９０２の縦軸線に沿って、ノズル９０２に対してプラットフォーム９０４を移動するために外側に撓む。
【００５６】
カラー９０６は、図６に示されるようにシールの代わりに又はシールに加えて使用される。代替的に、カラー９０６は、開口９０８の少なくとも一部分を覆い、使用されないときに流体の流れを防止する。カラー９０６は、様々な手段によってディスペンサー接続デバイス９００とプラットフォーム９０４との間で接続される。一実施形態では、ディスペンサー接続デバイス９００及びプラットフォーム９０４は、リップの周りに空間を含む。そのような実施形態では、カラー９０６は、空間内でかつ対応するディスペンサー接続デバイス９００のリップ及びプラットフォーム９０４上で嵌合するように寸法づけられた突起部を対応的に含む。リップ及び空間は、プラットフォーム９０４及びディスペンサー接続デバイス９００に対して固定されたカラー９０６を摩擦的に保持するように使用され、液密シールを形成する。代替的に又は加えて、接着剤がカラー９０６をプラットフォーム９０４に接続するのに使用される。
【００５７】
プラットフォーム９０４は、ノズル９０２に対して容器を正確に配置するリム９１０を含む。リム９１０は、一つ以上の突起を含むフォークスタイルの連結器にすることができ、あるいは堅いリムにすることができ、様々な大きさ位の容器又はそれらの組み合わせに対応するために段階状底部を含む。本明細書中に記載された又は当業者に知られた他の実施形態は、代替的に、容器を配置する又は保持するのに使用される。シール９１４は、プラットフォーム９０４の基部の上面に含まれ、シールを容器に形成する。シール９１４は、開口部９１２を円周方向に囲む。
【００５８】
ディスペンサー接続デバイス９００は、容器接続デバイスに結合するために磁石又は磁気材料を含む。例えば、プラットフォーム９０４は、充填中に容器接続デバイスをプラットフォームに固定するために磁気又は鉄の材料を含む又はそれから形成されたリング９１６を含む。一実施形態では、ノズル９０２の上部は、充填中に容器接続デバイスのキャップ（図示せず）を保持するために使用されるディスク９１８を含む。ディスク９１８は、キャップを引き付けるための磁石又は磁気材料を含み、及び／又は、キャップの対応する輪郭と接合するように輪郭づけられる。一実施形態では、ディスク９１８は、例えば、ディスペンサーから給仕される飲料の種類又はブランド、宣伝材料などの情報を含むことができる。
【００５９】
図１０−１１は、ディスペンサー接続デバイスに接合される容器接続デバイスの代表的な実施形態を示す。取り付けが行われるとき、容器接続デバイス及びディスペンサー接続デバイスは、係合して容器と流体源との間に流路を形成する。次に、容器は、その底部分から充填される。容器がディスペンサーから取り除かれると、容器接続デバイスは、ディスペンサー接続デバイスから取り外されて、容器を洩れないように密閉する。
【００６０】
図１０は、流体源と容器との間の流体の流れのために開状態にある図６のディスペンサー接続デバイス９００に接続された図４Ａ−Ｂの容器接続デバイスを示す。接続されると、ノズル６０２は、上区分磁石４２４とキャップ磁石４３２との間の磁気吸引力に勝ってキャップ４３０を押し、容器４０６の内部に開口６０４をさらす。また、容器４０６は、容器接続デバイスの下区分４０４の磁石４２６を引き付けるので、プラットフォーム６０６の磁石６０８によってこのプロセス中安定化される。図示のように、ノズル６０２のヘッドは、充填処理中にキャップを正確な整合に維持するためにキャップ４３０の凹部４３４と敬意するように形状づけられる。
【００６１】
図１１は、流体源と容器との間の流体の流れのための開状態にあるディスペンサー接続デバイス１１００に接続された図５Ａ−Ｂの容器接続デバイス５００を示す。接続されると、ノズル１１０２は、上区分５０２とキャップ５３０との間の閉じた付勢力に勝ってキャップ５３０を押し、それによって、リム５２８の開口５３６を覆わない。この実施形態では、キャップは、磁気吸引力、スプリング又はデバイスに適当な付勢力によって付勢力によって閉じられる。
【００６２】
図１２は、容器接続デバイスを有する容器と、ディスペンサー接続デバイスを有するディスペンサーとを含み、それぞれが本明細書中に記載された様々な特徴を含む、本発明の実施形態による代表的な分配システムの分解図である。当業者は、本明細書中に記載されたこれらの特徴及び他の特徴を様々な実施形態で組み合わせることができ、その全てが本発明の範囲内にある。システム１２００は、容器接続デバイス１２０２を有する容器と、ディスペンサー接続デバイス１２０４を有するディスペンサーとを含む。
【００６３】
一実施形態では、容器１２０６は、容器接続デバイス１２０２を含む。容器接続デバイス１２０２は、キャップ１２０８、キャップハウジング磁石１２１０、シール１２１２、リム１２１４、リムハウジング磁石１２１６、シール１２１８、底区分１２２２及び底ハウジング磁石１２２０を含む。磁石１２１０、１２１６、１２２０は、容器接続デバイスの様々な空間内に嵌合する一つ以上の磁気片、固体磁石リング、又は容器接続デバイスのそれぞれの構成要素に組み入れられた材料にすることができる。シール１２１２、１２１８は、Ｏ−リング又はゴムガスケットなどのあらゆるシールデバイスにすることができる。
【００６４】
一実施形態では、伽プロセスガスハウジング磁石１２１０は、キャップ１２０８の周囲の周りに等しく離間された５つのネオジム磁石１２１０からなり、シール１２１２によって適所に保持される。シール１２１２は、概ねディスク形状のゴムガスケットを含み、閉じた状態のキャップでシールを形成する。リム１２１４は、キャップが開いた状態にあるときに流体の流れを許容する開口を含み、閉じた状態のキャップ１２０８を付勢するために互いに動作する、５つのキャップハウジング磁石に対応する５つのネオジム磁石からなるリムハウジング磁石１２１６を含む。シール１２１８は、リム１２１４を容器１２０６に対して密閉する。底区分１２２２は、リム１２１４に接合し、ディスペンサー１２０４を引き付けるためのネオジム磁石１２２０を含む。
【００６５】
図１２の実施形態では、ディスペンサーは、フィラーバルブのための第１シール１２２４、フィラーバルブ磁石１２２８、ノズル１２３０、フィラーバルブ１２２６とノズル１２３０との間のカラー１２３２、及び、第２シール１２３１を含む、ディスペンサー接続デバイス１２０４を含む。第１及び第２シール１２２４及び１２３１は、ディスペンサー接続デバイス１２０４と容器接続デバイス１２０２との間に液密シールを形成するためのＯ−リング、ガスケット、又は他のデバイスにすることができる。
【００６６】
一実施形態では、ノズル１２３０は、キャップ１２０８を押してディスペンサーと容器との間に流路を形成するために容器接続デバイス１２０２を通って入るシャフトにすることができる。ノズルは、そこを通る流体の流れを許容するための一つ以上の開口を含む。フィラーバルブ１２２６は、ノズル１２３０の縦軸線に沿って動き、ノズルを通る流体の流路を開閉する。フィラーバルブ１２２６は、容器接続デバイス１２０２の底区分１２２２と接合するリムを含むように輪郭づけられる。この接続は、ディスペンサー接続デバイス１２０４及び容器接続デバイス１２０２が接合／非接合中に共に動くのを許容し、漏れを低減する。磁石１２２８は、フィラーバルブ１２２６に接続されたネオジム磁石リングにすることができ、容器接続デバイス１２０２の底区分１２２２の磁石１２２０を引き付けるように設計され、容器接続デバイス１２０２が使用中にディスペンサー接続デバイス１２０４と共に動くのを確実にする。磁気吸引力は、充填処理中に容器１２０６を安定させる。カラー１２３２は、容易に圧縮するように形状づけられるがフィラーバルブ１２２６のための付勢力を提供してノズル１２３０を閉じるためにその予め圧縮された形状に戻って拡張する可撓性ゴム材料から形成される。カラー１２３２は、使用中漏れに対する保護を提供する。
【００６７】
一実施形態では、ディスペンサーは、たらい、ドレイン、照明等の他の特徴を更に含む。例えば、ディスペンサーは、スイッチ、照明又は他の特徴のためのハウジング１２３４を含む。ハウジングは、ディスペンサーに接合された飲料の種類又はブランドを識別するように広告又は識別スペースとして使用されることができる。ハウジング１２３４は、充填処理中に液体を照明するＬＥＤ照明を含むことができる。圧力スイッチは、ＬＥＤ照明を引き起こすためにハウジングに組み込まれ、あるいは、容器がハウジングで検知されるときに充填プロセスを作動するのに使用される。ＬＥＤ照明は、代替的に又はその上に、ディスペンサー接続デバイスのたらい又は他の部分の周りに収容される。また、ディスペンサーは、たらい１２３６を含み、充填処理中にあらゆるオーバーフローを捕まえる。たらい１２３６は、その上部から超過した泡を取り除くために発泡飲料を意図的にあふれだすのに使用される。たらい１２３６は、使用後に容易に浄化するのを許容するドレイン１２３８を含む。ディスペンサーは、流体源にディスペンサーを接続するための導管１２４０を含む。導管は、多数の流体源への取り付けを許容するマニホルドにすることができ、それによって、ディスペンサーが多数の飲料のために使用されるのを可能にする。そのような実施形態では、所望の飲料は、マニホルド選択部材のスイッチ又は回転によって使用者によって選択されることができる。分配システムの上述のいくつかの実施形態及びその組み合わせは、使用の間で分配システムから液体を取り除くための洗浄デバイスをさらに含む。図１３−１４は、本発明の実施形態による代表的な洗浄デバイスを示す。流体導管は、マニホルドを介してなど直接的又は間接的にディスペンサーに接続される。バルブは、流体導管とノズルとの間に接続される。また、水又は洗浄ラインは、別個のノズルを介してディスペンサーに接続される。洗浄ラインは、流体源の一つがディスペンサーに接続されるようにマニホルドに代替的に接続される。ひとたびビールなどの選択の液体が注がれると、ビールラインを接続するバルブと容器は閉じられる。ディスペンサーを接続するバルブと洗浄ラインは、ディスペンサー及び接続を洗浄するために開かれる。ドレインは、接続から洗浄流体（例えば、水）を排出するために含まれる。次に、新しい容器は、前の液体の選択と混合しないで接続され充填される。好ましくは、水は、ディスペンサー及び接続デバイスを洗浄するのに使用される。しかしながら、洗浄媒体、溶液、アルコール、又は強制空気などの他の物質が接続デバイスから前の内容物を取り除くために使用されることができる。
【００６８】
図１３は、本発明の実施形態による代表的な洗浄デバイス１３００を示す。ディスペンサーは、前述のようにノズル１３０２を含み、ビールラインなどの液体導管１３０４に接続される。また、ディスペンサーは、液体導管１３０４とノズル１３０２との間にバルブ１３０５を含み、所望の液体の流れを開始及び停止する。また、フローメーター１３０８が液体導管１３０４に接続される。ひとたび容器がディスペンサーに接続されると、バルブ１３０６は開かれて、所望の液体が液体導管１３０４からノズル１３０２を通って容器の中に流れるのを許容する。バルブ１３０６は、容器が満たされると、流体の流れを停止するために閉じられる。また、洗浄ライン１３０８は、水などの洗浄源にノズルを接続するディスペンサーに接続される。洗浄バルブ１３１０は、洗浄ライン１３０８とノズルとの間に含まれて、充填プロ制御アッセンブリ後に洗浄流体がノズル１３０２を洗浄するのを許容する。バルブ１３０６及び洗浄バルブ１３１０は、手動的に又は自動的に作動される。一実施形態では、バルブ１３０６及び洗浄バルブ１３１０は、バルブが電磁石によって作動されるときに流体流路外に保持された剛球を含む電磁石バルブである。剛球は、バルブが閉じられたときに流路を遮断するのを許容される。
【００６９】
ドレインバルブ１３１２は、ディスペンサーから洗浄流体を排出するために洗浄バルブと関連して使用される。一実施形態では、洗浄流体がディスペンサーを通して流れるのを許容する洗浄バルブを作動することは、ドレインバルブ１３１２を作動する。従って、ドレインバルブ１３１２は、ノズル１３０２をすすいだ後に洗浄流体のための代替流路を提供し、洗浄流体は、ディスペンサーから出ない。代替的に、洗浄流体は、選択された液体が適所に容器にあるときにノズルをとおしてディスペンサーを出るのを許容されることができる。この実施形態では、ディスペンサーは、注いだ後の洗浄流体を捕まえて処理するためのたらい及びドレインを含む。
【００７０】
一実施形態では、使用後のディスペンサーを洗浄するための方法は、（１）容器をディスペンサーに接続すること；（２）流体が液体導管と容器との間で流れるのを許容するようにバルブを開くこと；（３）液体導管と容器との間の流体の流れを停止するためにバルブを閉じること；（４）ディスペンサーから容器を取り除くこと；（５）洗浄ラインに対して第２のバルブを開くこと；（６）ディスペンサーを洗浄すること；及び（７）洗浄ラインに対して第２のバルブを閉じることを含む。
【００７１】
図１４Ａ−Ｂは、使用後に分配システムから液体を取り除くための洗浄デバイス１４００の一実施形態を示す。この実施形態では、ディスペンサーに対する液体は、洗浄流体なしでディスペンサー接続デバイスから取り除かれ、液体が温かくなり分配位置で新鮮でなくなる可能性を減少する。ディスペンサーから液体を取り除くことによって、導管に沿って又は分配位置以下に冷却される。洗浄デバイス１４００の動作は、以下に説明される。
【００７２】
最初に、容器（図示せず）がディスペンサー１４０２上に配置され、圧力スイッチを作動する。圧力スイッチは、第１バルブ１４０４を開く。次に、第２バルブ１４１２が開かれて、液体導管１４１８から容器への流体の流路を形成する。第２バルブ１４１２は、スイッチを使用することによってバルブを手動的に作動するオペレーターによって開かれる。充填中、第１カラー１４０６及び第２カラー１４０８は閉じたままである。ゴムバンドなどのスプリング１４１０は、カラーを閉じた位置に付勢するために使用される。そして、第２バルブ１４１２は、手動的又は自動的に閉じられて、容器への流体の流れを遮断する。それから、容器は、ディスペンサー１４０２から取り除かれて、圧力スイッチを非動作する。次に、圧力スイッチがバルブ１４０４をオフにし、同時に第２バルブ１４１２をオンにし、液体ラインは、ディスペンサーにまだ閉じられている。しかしながら、液体は、第２カラー１４０８に達し、流体ライン１４１８からの液体と共に充填し、第２カラー１４０８を拡張させる。拡張する第２カラー１４０８は、第１カラー１４０６に、シール１４１４を閉じている間ディスペンサーからの液体を第１カラー１４０６の中に引き込ませる。シール１４１４は、容器が充填されない間、汚染物質が分配システムに入るのを防止する。ガイドロッド１４１６は、第１及び第２カラーが適切に拡張した状態と折りたたまれた状態との間で移動するのを許容するために使用される。
【００７３】
図１５は、洗浄デバイスを含む、本明細書中に記載された様々な実施形態を含む例示的な分配システムを図示する。図１５は、記載され図４Ａ−Ｂ及び図６に図示された特徴を含む代表的な分配システムを示す。同じ符号を有する特徴は、上述のように同じ構成要素を表す。容器接続デバイスは、容器４０６を通じて互いにねじ込まれた上区分４０２及び下区分４０４を含む。Ｏ−リングなどのシール４２２及び４２０は、容器４０６と容器接続デバイスとの間の液密シールを形成するのに使用される。キャップ４３０は、容器接続デバイスのためのバルブを形成する。ゴムガスケットなどのシール４３６、４３８、４４０は、キャップ４３０と上区分４０２との間及び下区分４０４とディスペンサープラットフォーム６０６との間の液密接続を形成するのに使用される。磁気リング４３２および４２４は、キャップ４３０を閉じるように付勢し、磁気リング４２６及び６０８は、容器接続デバイスをディスペンサー接続デバイスに結合する。ノズル６０２は、磁気吸引力に勝るようにキャップ４３０を押して、容器接続デバイスのバルブを開く。ノズル６０２がキャップ４３０を押して開いている間も磁石４３２及び４２４は互いに引き付け合い、その吸引力は、充填中にノズル６０２の先端上にキャップ４３０を保持する。キャップ４３０及びノズル６０２の輪郭は、充填処理中に容器接続デバイスに対してキャップを正確に保持するのを助ける。
【００７４】
一実施形態では、つなぎ綱、コイル、スプリング又は他のデバイスが、キャップが容器の底部と整合されたままにし、ノズルが取り除かれた後に正確に閉じるのを確実にするために使用される。キャップは、磁気材料を組み込む概ね磁気材料で作られ、又は、下方の力を形成するための別個の磁気リング又は磁気片を含む。対応する磁石は、キャップを閉じるように引っ張る限り、ピッチャーの内側又は外側に配置される。他の実施形態は、重力又は押し付けなどのキャップを閉じるための他の力を使用する。
【００７５】
一実施形態では、磁石の他の組は、容器とディスペンサーとの間に使用される。容器は、ディスペンサーを引き付けるための別個の磁石を使用し、又は、キャップを引き付けるために使用される同じ磁石を使用する。これらの磁石は、充填されている間、容器を安定にするのに使用される。他の実施形態は、ピッチャーと基部との間の締め付け又は接合嵌合などのピッチャーを安定にする他の力を使用する。
【００７６】
一実施形態では、分配システムは、装飾的なデバイスを含む。例えば、ＬＥＤ照明１５０２は、ハウジング１５０４に含まれ、何の液体が選択されているか、何の容器４０６が接続されているか（例えば、ピッチャー又はグラス）、容器が正確に接続されているかなどに応じて様々なパターンに点滅又は点灯する。また、照明するために充填飲料の下で照明を使用すると、その飲料をより魅力的な、またはおいしそうに見せることができる。例えば、暗いビールの下の琥珀色の光は、より広い消費者層にアピールするために、その外観を変更することができる。様々なビール又は特定の飲料に対して完全にその光又はその色の色合いを変更することを達成できる。ピッチャーが充填されるときに光又は照明がオンになり、ピッチャーが様々な電気的、機械的又は磁気的手段によってディスペンサーから取り除かれるときにオフになる。代替的に、照明は、容器上にイメージ、メッセージ又は広告を投影するように変更することができる。また、容器４０６は、満たされるときに回転又は移動することによって顧客の関心を高めることができる。また、ハウジング１５０４は、ディスペンサー又は照明を制御するためのスイッチ１５０６を含むことができる。
【００７７】
一実施形態では、ディスペンサーは、流体源に接続される。ディスペンサーは、多数の液体を同じディスペンサーに接合するためにマニホルド１５０８を通じて一つ以上の流体源に接続される。スイッチは、所望の液体を選択するために使用される。
【００７８】
一実施形態では、洗浄デバイスはディスペンサーに接続される。例えば、洗浄ライン１５１０は、使用の間の接続を洗うのに使用される。これは、様々な飲料が同じディスペンサーに接続されるのを許容し、故意でない汚染物質又は飲料の混合を減少又は防止する。これは、飲料が接続ラインで着座して上述したように温かくなるか新鮮でなくなるのを防止する。ドレインバルブ１５１２は、注いだ後に洗浄流体のための代替通路を提供することを含む。ドレインライン１５１４は、ドレインバルブ１５１４及びたらい１５１６に接続されて充填中のあふれ出る流体又は洗浄後の洗浄流体を取り除く。
【００７９】
一実施形態では、ビールタップハンドルの外観のレバーは、分配システムからの容器の充填の開始及び停止をするためのスイッチとして使用されることができる。代替的な実施形態は、注ぎを開始するタップハンドルに加えて他のデバイスを含む、バルブを開くためにボタンを押すこと、ノブを回すこと、または圧力がかかった液体の流れを開始するための他のデバイスを含む。また、流体の流れの開始は、圧力スイッチの使用によって、又はディスペンサー接続デバイスとの容器接続デバイスの接続を通じた流体流路を開放することによって自動的にすることができる。タイマーは、パイント又はピッチャーなどの計画された容器の大きさに依存して容器を満たすために代替的に作動されることができる。圧力スイッチなどの他の自動デバイスもまた、容器が満たされたときに流体の流れを自動的に止めるのに使用されることができる。デバイス及びアッセンブリの実施形態を利用することで純粋に美的処理をすることができる。流れは、電気スイッチ又は他のデバイスによって制御されることができる。従って、タップハンドルは、美学、有用性、又は個人的な好みに基づいて任意の方法を配置することができる。
【００８０】
本システムの実施形態は、重ねられたアルコールの注ぎを形成するために使用されることができる。グラスの底部を通して分配することによって、人がやらなければならない全ては、上になる部分を有する底部から最初のショットグラスをそれらに充填するオーダーでパーツを配置することである。アッセンブリは、アプリケーションに依存して充填デバイスを通じた流れを減少するように調整されることができる。従って、じょうごが合うコールのショットのために使用される場合、その流れは、アルコール飲料をショットグラスに滴下するのを可能にするために減少される。しかしながら、デバイスがビール、ソーダー、又は他の飲料に使用される場合、その流れは増加される。また、ノズルは、同時に多数の液体によって充填するのを許容するために様々な高さで専用の導管と関連した一つ以上の開口で設計される。例えば、この実施形態は、黒色と黄褐色などの層状ビールに使用されることができ、あるいは、チェリーコークなどの風味のある炭酸飲料で使用されることができる。
【００８１】
また、本明細書中に記載された容器接続デバイスは、ディスペンサーによって充填された後に容器の内容物を排出するために除去システムで使用されることができる。除去システムは、容器からの内容物を急速に排出するために、例えば“ビールパイプ”として使用される。除去システムは、容器接続デバイスに接続され、容器の底部を通じて内容物を急速に除去する。例えば、図１６Ａ−Ｂは、本明細書中に記載された容器接続デバイスで使用された除去システムの代表的な実施形態を図示する。
【００８２】
図１６Ａ−Ｂは、容器の底部１６０４を通じて容器１６０２からの飲料を分配するのに使用される代表的な除去システム１６００を示す。一般的に、急速なドレインアタッチメント１６１６は、その底部１６０４を通じて内容物を排出するために容器１６０２に接続される。導管１６０６は、急速なドレインアタッチメント１６１６に連結され、所望の場所に容器１６０２からの液体を移送するために使用される。急速なドレインアタッチメント１６１６の結合端部は、容器１６０２の底部のバルブと整合かつ相互作用するプラットフォーム１６０８を含む。プラットフォーム１６０８とバルブとの間の相互作用は、除去中流体の流れを許容し、接続されたときに急速なドレインアタッチメント１６１６と容器１６０２との間にシールを提供する。バルブは、容器１６０２の底部の穴又は開口を覆うキャップ１６１０にすることができる。キャップ１６１０は、通常、付勢されて閉じてあり、液体が容器１６０２を出るのを防止する。急速なドレインアタッチメント１６１６及びキャップ１６１０は、連結されたときに相互作用し、容器１６０２と導管１６０６との間に液体が流れるのを許容する。
【００８３】
一実施形態では、キャップ１６１０は、磁気材料又は鉄金属を含む。キャップを通常閉じた状態に付勢するために、容器１６０２の底部１６０４は、キャップ１６１０の磁気材料を引き付ける磁気材料又は鉄金属を含むリング１６１２を含む。ガスケットなどのシール特徴部（図示せず）は、キャップ１６１０がリング１６１２の作用下で適所に設置されるときに液密シールを確実にするために使用される。
【００８４】
急速なドレインアタッチメント１６１６は、キャップ１６１０と相互作用して容器１６０２から飲料を分配する。急速なドレインアタッチメント１６１６は、容器１６０２からの液体を所望の場所に移送するために導管１６１６を含む。導管１６０６は、可撓性部分１６１４を含み、所望の場所に対する流体流路の容易な構成を可能にする。導管１６０６は、容器１６０２を充填するために除去システム１６００のプラットフォーム１６０８８と相互作用する。急速なドレインアタッチメント１６１６が容器１６０２に接続されたときに、指部１６１８は、容器のキャップ１６１０を上げるために使用され、容器１６０２と導管１６０６との間に液体が流れるのを許容する。一実施形態では、急速なドレインアタッチメント１６１６は、プラットフォーム１６０８を含んで急速なドレインアタッチメント１６１６と容器１６０２との間の接続を密閉する。プラットフォーム１６０８は、容器１６０２のリング１６１２を固定するための磁気材料又は鉄金属を含むリング１６２０を含み、それによって、内容物の除去中に容器１６０２への急速なドレインアタッチメント１６１６の接続を固定する。プラットフォーム１６０８は、ガスケットなどのシールを付加的に含み、急速なドレインアタッチメント１６１６と容器１６０２との間の漏れを減少する。
【００８５】
急速なドレインアタッチメント１６１６は、以下に説明されるように、容器１６０２を充填した後に使用される。容器は、飲料ディスペンサーから外されて急速なドレインアタッチメント１６１６に接続される。使用では、急速なドレインアタッチメント１６１６が容器１６０２に接続されるときに、指部１６１８は、容器のキャップ１６１０を押しあける。次に、急速なドレインアタッチメント１６１６は、可撓性部分１６１４を更に含むことができる導管１６０６を潜在的に通じて、容器１６０２の底部１６０４から容器１６０２の内容物を急速に取り除くために使用される。例として、急速なドレインアタッチメントは、“ビールパイプ”を形成するためにピッチャーなどの飲料容器で使用される。急速なドレインアタッチメント１６１６は、指部１６１８を引き起こすための開口メカニズムを含み、容器１６０２のバルブを開いて、容器１６０２の底部１６０４の外への流体の流れを許容する。急速なドレインアタッチメント１６１６は、代替的に又は付加的に、導管１６０６の流出を止めるために出口にバルブを含むことができる。
【００８６】
図１７は、いくつかの実施形態による分配システムのバルブの代表的な前方上右斜視上図を示す。バルブ１７００は、ハウジング本体１７０１、バルブブロック１７０９及び下ブロック１７１１を含む。スライドロッド１７０２は、下ブロック１７１１に接続され、下ブロック１７０１の凹部領域内に配置される。凹部領域は、スライドロッド１７０２を収容するように形状づけられる。また、バルブ１７００は、バルブ１７００を流体容器（図示せず）に接続するためのノズル１７０５と、閉じた状態から開いた状態にバルブ１７００を移動するためのバルブアクチュエーターアッセンブリ１７１０と、バルブ１７００を流体源（図示せず）に接続するための継手１７２１とを含む。バルブ１７００の一つ以上の開口１７５１は、背圧リリーフ穴／ベント穴として作用する。これらのベント穴は、キャップがノズルから除去された場合にフィラーから背圧が解放されるのを許容し、結合器が閉じた状態にある間残りの流体が排出するのを許容する。図２５において説明されるように、流体は、バルブ１７００から開口２５５０の第２の組を介して流体容器に流れる。参照の目的のために、軸線１７５０は、図示され、バルブ１７００と、ハウジング１７０１とバルブブロック１７０９と下ブロック１７１１とにノズル１７０５を縦方向に接続するノズル１７０５の中心とを通って配置される。
【００８７】
図１８は、いくつかの実施形態による分配システムのバルブの代表的な上面図を示す。この図では、継手１７２１は、軸線１７５０の右側にずれている。バルブ１７００は、例えば、バルブ１７００を流れる流体の跡を保持するために流体容器と流体センサー１８０８の存在を検出する容器センサー１７１４などの一つ以上のセンサーを含む。一実施形態では、バルブ１７００は、流体を流体容器の中に分配することに関連した電気的及び／又は機械的分配ロジックを制御するためのプロセッサー（図示せず）と共に使用することができる。一実施形態では、バルブ１７００は、流体源からの流入流体を回転するために構成される。次に、流体センサー１８０８は、流体容器の中に分配する流体の量を決定するためにプロセッサーによって使用される、流体の回転速度を検知する。図１９は、いくつかの実施形態による、分配システムのバルブの代表的な後正面図を示す。この図では、継手１７２１は、軸線１７５０の右側に見られることができる。図２０は、いくつかの実施形態による、分配システムのバルブの代表的な左側正面図を示す。この図では、バルブアクチュエーターアッセンブリ１７１０の右側に見られることができる。流体は、流体源から継手１７２１を通ってバルブ１７００の中に流れる。一実施形態では、継手１７２１は、軸線１７５０からオフセットされる。これは、流体をバルブブロック１７０９内で回転させる。回転する流体は、バルブ１７００が流体センサー１８０８を使用して流体の流れをたどることを許容する。時間内での回転数（流体の角速度）に基づいて、プロセッサーは、バルブ１７００によって分配された流体量を計算する。分配された流体量に基づいて、プロセッサーは、接続された容器が所望のレベルまで満たされるときにバルブ１７００を閉じる。
【００８８】
図２１は、いくつかの実施形態による、分配システムのバルブの代表的な後方左上面図を示す。バルブ１７００は、ハウジング本体１７０１、バルブブロック１７０９及び下ブロック１７１１を含む。また、バルブ１７００は、バルブアクチュエーター１７１０と、流体源に対する継手１７２１と、流体容器（図示せず）に結合する結合器２１０５とを含む。一実施形態では、バルブアクチュエーター１７１０は、ソレノイド１７０６と、ソレノイドばね、ソレノイドプランジャー２２０７を含む（図２２）。作動されるとき、ソレノイド１７０６は、ランプ２１１０をソレノイド１７０６の方に動かす。一実施形態では、ランプ２１１０は、大きな幅の端部２３１１と狭い幅の端部２３１２とを含む（図２３）。ランプ２１１０の上面は、概ね平らであり、ランプ２１１０の底面は、くさび形状を有する、あるいは、大きな幅の端部２３１１から狭い幅の端部２３１２に概ね先細りになっている。ランプ２１１０がソレノイド１７０６の方に移動されると、ランプ２１１０の大きな幅の端部２３１１は、バルブ１７００の軸線１７５０の方に引っ張られる。このランプ２１１０の動き及びその先細りの底面は、スライドロッド１７０２をバルブ１７００から離れる方向にハウジング本体１７０１に対して下方に摺動させる。スライドロッド１７０２は、ハウジング本体１７０１に対して下方に摺動するとき、プランジャーシャフト２３２２及びプランジャー２３２６は、下方に引っ張られ、バルブ１７００を開かせる。ソレノイドスプリング２１１７は、ソレノイド１７０６に接続され、プランジャーシャフト２３２２を、ソレノイド１７０６が作動された後にその元の位置に戻すように構成され、バルブ１７００が閉じられるのを許容する（図２３）。
【００８９】
図２２は、いくつかの実施形態による、分配システムのバルブの代表的な後方左下面図を示す。４つのねじ２２１８は、下ブロック１７１１をバルブブロック１７０９に接続するために使用される。二つのねじ２２１９は、ランプ２１１０を下ブロック１７１１に接続するために使用される。一実施形態では、ソレノイドスプリング２１１７は、ソレノイドスプリング２１１７の一端部が反対の端部での直径よりも大きな直径を有するように均一的に拡張した直径を有する。一実施形態では、スプリング２１１７の大きな直径の端部は、ハウジング本体１７０１に接続され、小さな直径の端部は、下ブロック１７１１に接続される。ソレノイドプランジャー２２０７は、ソレノイドスプリング２１１５内に配置され、ソレノイド１７０６及びランプ２１１０に接続される。
【００９０】
図２３は、いくつかの実施形態による、分配システムのバルブの代表的な後方左上分解図を示す。図２３の上部から説明すると、バルブ１７００は、ノズル１７０５、結合器２１０５、第１Ｏ−リング２３１６、バルブケース２３１０、第２Ｏ−リング２３１５、及びハウジング本体１７０１を含む。結合器２１０５は、バルブ１７００を流体容器（図示せず）に接合するように構成される。流体容器が適当に配置されると、結合器２１０５は、流体容器の底部を開け、バルブ１７００からの流体を受け入れるようにそれを可能にする。ノズル１７０５は、流体容器に接合されるように構成される。ノズル１７０５は、流体容器の底部上の対応する接合プレートと接続する接合プレートを含む。流体容器の底部がノズル１７０５上に押圧されると、ノズル１７０５の接合プレートは、ノズル１７０５が流体容器の内側に入り流体容器の底部を開けるように流体容器の接合プレートと接合される。典型的な分配システムのための接合プレート及び接合デバイス及び流体容器が本明細書中に記載される。結合器２１０５は、バルブケース２３１０とノズル１７０５との間の第１Ｏ−リング２３１６又は他のシールでバルブケース２３１０でバルブ１７００に接合される。第２Ｏ−リング２３１５又は他のシールは、バルブケース２３１０とハウジング本体１７０１との間で使用される。
【００９１】
ハウジング本体１７０１は、容器センサー１７１４及び流体センサー１７０８を含む。一対のねじ２３５０は、容器センサー１７１４をハウジング本体１７０１に接合するために使用される。一対のねじ２３２０は、流体センサー１７０８をハウジング本体１７０１に接合するために使用される。容器センサー１７１４は、流体コンテナの存在及び／又は正確な配置を検知するために構成され、流体センサー１７０８は、流体容器の中に分配された流体量を検知するために構成される。例えば、容器センサー１７１４は、流体容器の基部内の磁石を検知するために使用されるホール効果センサーにすることができる。あらゆる磁気材料が使用されることができる。また、圧力センサーあるいは接合された流体容器によって接触されたプレート又はボタンを押すなどの機械的なデバイスなど、他のセンサーが使用されることができる。また、ハウジング本体１７０１は、バルブ１７００を開閉するために使用される、ソレノイドプランジャー２２０７、ソレノイドスプリング２１１７及びソレノイド１７０６に接合される。
【００９２】
第３Ｏ−リング２３０４がハウジング本体１７０１とバルブブロック１７０９との間に配置される。継手１７２１が開口２３５０を介してバルブブロック１７０９に接続される。継手１７２１は、流体源導管又はチューブを嵌合するために鋭い端部を含む。また、他の接続が考えられ、ねじ接合部材を含む。バルブ１７００は、バルブ構成要素を囲み、アクチュエーターアッセンブリ１７１０に接続するためにハウジング本体１７０１に沿ったバルブブロック１７０９及び下ブロック１７１１を含む。一実施形態では、プランジャー２３２６が流体の流れを制御するために使用される。プランジャー２３２６は、一方の位置にあるときに流体流路を閉じる又は密閉し、他の位置に対して縦方向に移動されるときに流体流路を開く。例えば、プランジャー２３２６は、アクチュエーターアッセンブリ１７１０に接続されたプランジャーシャフト２３２２に接続される。閉じた状態では、プランジャー２３２６は、バルブ１７００を密閉するためにバルブケース２３１０に抗して載置し、バルブ１７００から流体容器への流体の流れを防止する。アクチュエーターアッセンブリ１７１０は、ソレノイド１７０６、ソレノイドスプリング２１１７、及びソレノイドプランジャー２２０７を含む。ソレノイドプランジャー２２０７は、直接的又は（リンク装置を介して）間接的にバルブプランジャー２３２６を制御する。
【００９３】
図２３に示されるように、ソレノイドプランジャー２２０７は、ランプ２１１０に接続される。ランプ２１１０は、ソレノイド１７０６から離れて配置された大きな幅の端部２３１１を有する、概ねくさび形状の底面を有する。プランジャーシャフト２３２２に接続されたスライドロッド１７０２は、ランプ２１１０に抗して載置する。作動されると、ソレノイド１７０６は、ソレノイドプランジャー２２０７をハウジング本体１７０１から離れる方向にソレノイド１７０６の方に引っ張る。ソレノイドプランジャー２２０７が引っ張られると、接続されたランプ２１１０も同じ方向に引っ張られ、ランプ２１１０のくさび状の底面にスライドロッド１７０２を下方かつハウジング本体１７０１から離れる方向に（軸線１７５０に沿って）漸進的に押す。また、ソレノイドプランジャー２２０７の引っ張りは、ソレノイドスプリング２１１７を巻き付けさせる。スライドロッド１７０２が下方に押されると、プランジャーシャフト２３２２を軸線１７５０に沿って引っ張る。これは、プランジャー２３２６を開位置に動かしバルブ１７００を開き、プランジャー２３２６の上部の周りに流体流路を許容する。ソレノイド１７０６が作動された後、ソレノイドスプリング２１１７は、ほどかれてソレノイドプランジャー２２０７及びランプ２１１０をそれらの元の位置に戻す。これは、プランジャーシャフト２３２２及びプランジャー２３２６をそれらの前の位置に戻し、バルブ１７００及び流体流路を閉じる。ランプ２１１０及びスライドロッド１７０２を含むリンク装置は、ソレノイドプランジャー２２０７の移動がプランジャーシャフト２３２２の移動から垂直方向に動作するのを許容する。従って、バルブ１７００及びアクチュエーターアッセンブリ１７１０は、よりコンパクトな領域に格納される。
【００９４】
一実施形態では、プランジャーシャフト２３２２は、二つ以上のフィンを有するタービン２３２７を含む。流体が継手１７２１を介してバルブブロック１７０９に入ると、流体は、軸線から外れ、従って、バルブ軸線１７５０を中心にして回転する。回転する流体は、タービン２３２７を回転する。タービンフィンは、流体センサー１７０８によって検知された磁石２３２９を含む。流体センサー１７０８は、磁石２３２９の存在を検知するためのホール効果センサーにすることができる。タービン２３２７が回転すると、磁石は検知される。回転数は、流体の流量を計算するためにプロセッサーによって使用されることができる。流体量から、流体が必要とされる時間の量に対して流れるのを許容することにより所望の量が分配される。様々なセンサー及び検知システムが流体の分配を検知するのに利用される。また、バルブ１７００は、流体の流れを検知し流れの回転を減少するために、プランジャー２３２６の近くに流れガイド２３２３を含む。また、流れガイド２３２３は、プランジャーシャフト２３２２を案内するのに使用され、第４のＯ−リング２３３０（例えば、プランジャーシール）がバルブケース２３１０内に正確に配置されてバルブ１７００を閉じる。
【００９５】
一実施形態では、バルブ１７００は、バルブ１７００の内部の圧力を均等化するために、その下に圧力プレート（図示せず）を有するダイヤフラム２３２５を使用する。流体の圧力は、圧力場所がプランジャー２３２６上で上方に押し上げるのと同じ力でダイヤフラム２３２５及び圧力プレート（図示せず）で押し下げる。従って、バルブ１７００を少ない力で開くことが可能であり、必要とされるよりもはるかに小さいソレノイド１７０６を許容し、高価で設計の複雑さを提供するワイパーシールの必要性を排除する。また、バルブ１７００は、分配中に流体の温度を制御する温度制御システムを含む。導管２８３０（図２８参照）は、バルブブロック１７０９のくぼみ２３６０の中に留まる。導管２８３０は、銅製チューブである。流体導管は、バルブ１７００に入るように導管２８３０に沿って通る。例えば、冷却流体は、導管２８３０を通り、流体が分配される間冷たいままにすることができる。
【００９６】
Ｏ−リング又は他のシールは、バルブ１７００の様々な構成要素を連結するのに使用される。例えば、第１Ｏ−リング２３１６は、バルブケース２３１０とノズル１７０５との間にシールを形成し、第２Ｏ−リング２３１５は、ドレインパン（図示せず）とバルブケース２３１０との間にシールを形成し、第３Ｏ−リング２３０４は、バルブケース２３１０とバルブブロック１７０９との間にシールを形成する。ねじ、接着剤、結合などの様々な機械的なデバイスが構成要素を互いに連結するのに使用される。例えば、ねじ２３１８は、下ブロック１７１１をバルブブロック１７０９に保持するのに使用され、ねじ２３１９は、スロープ２１１０をソレノイドプランジャー２２０７に保持するのに使用される。保持リング２３９０は、スライドロッド１７０２をプランジャーシャフト２３２２に保持するためにＥ状クリップにすることができる。保持リング２３２８は、適所にタービン２３２７を保持するために使用される。一方の保持リング２３２８がタービン２３２７上にあり、他方の保持リング２３２８がタービン２３２７の下にある。
【００９７】
図２４は、バルブブロック、及び、いくつかの実施形態による、バルブのいくつかの内部要素を図示するために破線で示された下ブロックを有するバルブの代表的な後方右上面図を示す。ダイヤフラム２４００は、ハウジング本体１７０１及びバルブ１７００のいくつかの構成要素を含む。これは、スライドロッド１７０２、スロープ２１１０、ソレノイドスプリング２１１７、ソレノイドプランジャー２２０７及びソレノイド１７０６を含む。また、ダイヤフラム２４００は、プランジャーシャフト２３２２、ダイヤフラム２３２５、タービン２３２７を含む。スロープ２１１０は、大きな幅の端部２３１１及び小さな幅の端部２３１２を有する概ね楔形状の底面を有し、大きな幅の端部２３１１は、ソレノイド１７０６から離れて配置される。スロープ２１１０は、小さな幅の端部２３１２でソレノイドプランジャー２２０７に連結される。作動されるとき、ソレノイド１７０６は、両方向矢印２４１５の一方向に沿ってハウジング本体１７０１から離れてソレノイド１７０６の方にソレノイドプランジャー２２０７を引っ張る。スロープ２１１０のくさび状底面は、両方向矢印２４２０の一方向に沿ってハウジング本体１７０１から離れる方向にスライドロッド１７０２を下方に押す。スライドロッド１７０２が下方に押されると、プランジャーシャフト２３２２を下方に押し、バルブ１７００を開いて流体流路を形成する。ソレノイドプランジャー２２０７がソレノイド１７０６によって引っ張られると、ソレノイドスプリング２１１７が巻かれる。そして、ソレノイド１７０６が作動された後、ソレノイドスプリング２１１７がほどかれ、両方向矢印２４１５の他方の方向に沿ってソレノイドプランジャー２２０７をその元の位置に戻す。ソレノイドプランジャー２２０７をその元の位置に戻すことは、スライドロッド１７０２に、両方向矢印２４２０の他方の方向に沿ってプランジャーシャフト２３２２を上方に押させ、バルブ１７００を閉じる。バルブ１７００の開閉は、例えば、源ホース２４１０を介した飲料供給源２４０５などの流体源からの流体の流れに作用する。
【００９８】
図２５は、いくつかの実施形態による、バルブが閉じたときの位置にあるソレノイドを示すバルブの代表的な断面図を示す。ソレノイド１７０６が図２５に示す位置にあるとき、バルブ１７００から連結された流体容器（図示せず）へ流体は流れない。プランジャー２３２６がバルブケース２３１０に抗して上方に押されると、ノズル１７０５への流路を閉じる。バルブ１７００が閉じられると、ソレノイドプランジャー２２０７の一部分がハウジング本体１７０１内にある。これは、ソレノイドプランジャー２２０７の元の位置とみなすことができる。また、流体がバルブ１７００から流体容器の中に流れる流体開口２５５０が図２５に示される。
【００９９】
図２６は、いくつかの実施形態による、バルブが閉じたときの位置にあるソレノイドを示すバルブの代表的な断面図を示す。ソレノイド１７０６がハウジング本体１７０１から離れる方向で矢印２５０５の方向にソレノイドプランジャー２２０７を引っ張ると（図２５参照）、スロープ２１１０は、矢印２５０５と同じ方向に引っ張られる。くさび状底面を有するスロープ２１１０に基づいて、スライドロッド１７０２が矢印２６０５の方向に下方に押され、スロープ２１１０は、矢印２５０５の方向に動く。スライドロッド１７０２が下方に押されると、プランジャーシャフト２３２２も矢印２６０５の方向に下方に動く。これは、プランジャー２３２６を下方に動かし、開流路を形成し、流体が飲料供給源２４０５から継手１７２１及びハウジング本体１７０１を通って開口２５５０を介してバルブ１７００の外へ流れ、流体容器（図示せず）の中に流れる。
【０１００】
図２７Ａは、いくつかの実施形態による、多数のバルブを有する分配システムのハウジングの代表的な前方上右側図面を示す。分配システムハウジング２７００は、第２前壁２７０６に結合された第１前壁２７０５を含む。第２前壁２７０６は、後壁２８０８に結合される上壁２８０７に結合される。第２前壁２７０６は、第１前壁２７０５及び上壁２８０７に結合され、第１前壁２７０５と上壁２８０７との間に傾斜して配置される。一実施形態では、第２前壁２７０６は、ユーザーインターフェースを表示するように構成され、使用者がオプションを選択し、ステータスを表示できることなどを可能にする。また、ハウジング２７００は、第１側壁２７１０及び第２側壁２８１０を含む。第１側壁２７１０及び第２側壁２８１０の各々は、５つの縁部を有する。第１縁部は、第１前壁２７０７の幅と同じである長さ寸法２７１５を有する。第２縁部は、第２前壁２７０６の幅と同じである長さ寸法２７２０を有する。第３縁部は、上壁２８０７の幅と同じである長さ寸法２７２５を有する。第４縁部は、後壁２８０８の幅と同じである長さ寸法２７３０を有する。第５縁部は、第１前壁２７０５の底部から後壁２８０８の底部までの距離と同じである長さ寸法２７３５を有する。一実施形態では、分配システムハウジング２７００は、一つ以上のバルブ１７００を受け入れるための一つ以上の開口を含む。一つ以上の開口は、上壁２８０７にある。例えば、上壁２８０７は、４つのバルブ２７５５、２７６０、２７６５及び２７７０を受け入れるために４つの開口（図示せず）を含む。４つのノズル及びバルブ２７５５−２７７０のカプラーが図２７Ａに示される。４つのバルブ２７５５−２７７０の残りの部分は、上壁２８０７によって図から隠れている。上壁２８０７の外面は、充填領域とみなされることができる。
【０１０１】
一実施形態では、プラットフォーム２７５０は、上壁２８０７で使用される。例えば、プラットフォーム２７５０は、上壁２８０７上に配置され、プラットフォーム２７５０の表面と上壁２８０７の表面との間にクリアランスがあり高いプラットフォームを提供するように構成される。プラットフォーム２７５０の表面に複数の開口がある。これらの開口が流体の流出がプラットフォーム２７５０（分配プラットフォーム）の表面から上壁２８０７（充填領域）の表面まで行われるのを可能にする。一実施形態では、分配システムは、充填領域の周りに排出システムを含む。排出システムは、分配プラットフォームからこぼれた流体を取り除き、ドレイン又はシンクなどの処分システムに流体を移送するための導管又はチューブを使用する。排出システムは、分配システム又は分配プラットフォームを取り囲み、常備の液体から供給領域を比較的自由に維持する。また、プラットフォーム２７５０は、バルブ２７５５−２７７０に対応する開口と、対応する流体容器の底部とを含む。流体源への接続と共に分配システムハウジング２７００とバルブ２７５５−２７７０との組み合わせは、存在する調理台に配置され又は調理台又は配膳面に組み込まれる一体の分配システムを提供する。
【０１０２】
一実施形態では、分配システムは、取り付けられた流体容器のための充填オプションを提供するユーザーインターフェースを含む。ユーザーインターフェースの例は、第２前壁２７０６に示される。例えば、第２前壁２７０６は、第１ユーザーインターフェース区分２７７２及び第２ユーザーインターフェース区分２７７４を含む。第１ユーザーインターフェース区分２７７２は、バルブ２７５５と関連したオプション及びバルブ２７６０と関連した同様のオプションを含む。第２ユーザーインターフェース区分２７７４は、バルブ２７６５と関連したオプション及びバルブ２７７０と関連した同様のオプションを含む。
【０１０３】
図２７Ｂは、いくつかの実施形態による、ユーザーインターフェースの代表的な詳細図を示す。ユーザーインターフェースは、自動のための、半自動のための、又は手動制御のためのオプションを含む。図２７Ｂに示された図は、第１ユーザーインターフェース区分２７７２に対応する。自動充填に対し、容器のサイズ及び／又は充填レベルが選択される。例えば、自動モードを設定するために、自動オプション２７８０Ａが選択され、そして、容器サイズのオプション２７８１Ａ、２７８２Ａ及び２７８３Ａの一つが選択される。このモードでは、流体容器が充填プラットフォームの中に正確に配置されると、流体は、流体容器の中に自動的に分配され、流体の予め決められた量が分配された後に流体の流れが自動的に停止される。分配される流体の量は、選択された容器サイズのオプションに基づいて決定される。ユーザーインターフェースは、開始オプション２７９０Ａと、手動モード又は半自動モードで使用される停止オプション２７９２Ａを含む。例えば、完全な手動モードでは、使用者は、開始オプション２７９０Ａを選択することによって流体を流体の容器の中に分配するのを開始することができる。そして、使用者は、適当な時間で停止オプション２７９２Ａを選択することができ、流体容器への流体の流れを停止することができる。
【０１０４】
半自動モードでは、使用者は、自動オプション２７８０Ａを選択することができ、容器サイズのオプション２７８１Ａ−２７８３Ａの一つを選択することができ、充填プラットフォーム上に流体容器を正確に配置することによって流体を流体容器の中に自動的に流すことができる。この例では、流体の流れを自動的に停止するのを待つ代わりに、使用者は、流体の予め決められた量が流体容器の中に分配される前に停止オプション２７９２Ａを選択することができる。半自動モードの使用の他の例として、使用者は、容器サイズのオプション２７８１Ａ−２７８３Ａの一つを選択し、充填プラットフォーム上に流体容器を配置し、それから、開始オプション２７９０Ａを手動的に選択することができる。次に、分配システムは、流体を流体容器の中に分配し、流体の適当な量が分配された後に分配を停止する。分配される量は、選択された容器の大きさに基づかれる。
【０１０５】
ノズル１７０５は、概ね閉じた位置にあり、立ち上がった接合プレートを含む。接合プレートが立ち上がった状態で、ノズル本体内の開口２５５０が、閉じられる。流体容器がノズル１７０５に接合されると、接合プレートはノズル１７０５及び軸線１７５０に沿って下方に押され、開口２５５０が開いて、分配システムと接合された流体容器との間に流体流路を形成する。
【０１０６】
また、使用者は、クリーニングオプション２７８５Ａ及び装填オプション２７８６Ａを含む。また、状況情報がユーザーインターフェースに表示される。状況情報は、分配システムが分配する準備ができているか否かを使用者に示すことができる。一実施形態では、状況情報は、光などの可視インジケーターを使用して実装される。例えば、ユーザーインターフェースは、照明２７９４Ａを設定して、分配システムが分配する準備ができていることを示す緑色を表示することができ、あるいは、照明２７９４Ａを設定して分配システムが分配する準備ができていないことを示す赤色を表示することができる。別の例として、開始オプション２７９０Ａ及び停止オプション２７９２Ａの周りに配置された一組の緑色の照明が対応するバルブのノズルが開くのを示すために点灯される。一組の赤色の照明が同様に配置され、対応するバルブのノズルが閉じられたときに点灯される。上述のように、容器センサー１７１４は、分配プラットフォーム上への流体容器の存在及び／又は適当な配置を検知するために使用され、流体センサー１７０８は、分配される流体の量を決定するために使用される。
【０１０７】
一実施形態では、また、ユーザーインターフェースは、流体量オプション２７９４Ａを含み、流体容器の中に自動的に分配される流体量（又は満杯量）を制御する。例えば、使用者は、減少オプション２７９６Ａ（例えば、マイナス記号を有するボタン）を使用して、量を減らし、増加オプション２７９８Ａ（例えば、プラス記号を有するボタン）を使用して量を増やす。図示していないが、ユーザーインターフェースは、他の制御、使用者情報、又はインジケーターを含むことができる。
【０１０８】
第１ユーザーインターフェース区分２７７２が第２バルブのための他のユーザーインターフェースを含むように図示され、同様の組のオプションを有するように構成される。これは、自動オプション２７８０Ｂ、容器サイズオプション２７８１Ｂ、２７８２Ｂ、２７８３Ｂ、開始オプション２７９０Ｂ、停止オプション２７９２Ｂ、満杯レベル減少オプション２７９６Ｂ及び増加オプション２７９８Ｂなどを含む。一実施形態に対し、バルブ及び対応するユーザーインターフェースの各々は、同じタイプの飲料又は異なるタイプの飲料と関連される。
【０１０９】
ユーザーインターフェースのオプションは、例えば、タッチスクリーン、ボタン、トグル、スイッチ、ダイヤル、ノブ、ライト、サウンドなどの電気的又は機械的なオプションを含む。一実施形態では、ユーザーインターフェースは、プロセッサーを含む電気要素と関連される。ユーザーインターフェース及び電子機器は、分割プレート２８２５によってバルブ及び流体源から分離される（図２８参照）。また、分割プレート２８２５は、空気の流れを提供すると共に電気要素の過熱を減少させるための開口を含む。ロック機構２８３５が分割プレート２８２５を適所に維持するために使用される。
【０１１０】
図２８は、いくつかの実施形態による、多数のバルブを有する分配システムの代表的な下方前右側図面を示す。図２８に示された４つのバルブは、図２７に示された４つのバルブ２７５５−２７７０に対応し、図２７に示されていないバルブ２７５５−２７７０の部分を反映する。図示のように、バルブ２７５５−２７７０は、流体源に接続されていない。一実施形態では、上壁２８０７は、充填領域にこぼれた流体を排出するためにドレイン継手２８１５を受け入れる開口を含む。現在の例では、ドレイン継手２８１５は、後壁２８０８の近くに配置される。ドレイン継手２８１５は、ドレイン管（図示せず）に接続される。ドレイン管は、分配システムの充填領域からの排出領域を例えばフロアドレイン又はシンクなどの排出場所に接続する。ドレイン管は、排出領域を排出場所に接続するチューブにすることができる。導管２８３０は、バルブ２７５５−２７７０に留めて温度調整された流体を供給する。流体導管は、導管２８３０に沿って配置され、流体は、輸送中所望の温度で残存する。温度調整された流体は、流体導管に概ね平行に輸送される、あるいは、流体導管の周りを概ね巻くか包むことができる。流体源からの温度調整された流体及び流体は、同心円状の導管などの協働する導管を通じて流れる。ポンプは、源からの調整された流体を分配システムのバルブに移送するのに使用される。温度調整器は、調整された流体の温度、従って、流体源からの流体の温度を維持するために加熱されたあるいは冷却された調整流体、液体又はガスを使用する。
【０１１１】
図２９は、いくつかの実施形態による、バルブに接続された源チューブを示す分配システムの代表的な底面図を示す。源導管２９０５は、継手（例えば、継手１７２１）に接続され、あるいは、バルブ（例えば、バルブ２７５５）に直接的に接続される。継手は、とげがつけられあるいはねじ山が形成されて、源導管２９０５に直接的に又は間接的に接続する。源導管２０９５は、チューブにすることができる。各バルブに対して一つの源導管２９０５がある。現在の例では、４つのバルブに対して４つの源が図示される。ねじ付き部材がバルブに接続されて源導管２９０５から対応するねじ付き部材に接続する。
【０１１２】
図３０は、いくつかの実施形態による、絶縁体の第１層を有する源チューブを示す分配システムの代表的な底面図を示す。図示のように、第１絶縁層３００５は、バルブ２７５５−２７７０間にある源導管２０９５の部分の周りに巻かれる。源導管は、所望のレベルで流体の温度を保持するために絶縁される。上述のように、導管２８３０は、流体を所望の温度で継続的に冷却又は加熱する熱伝達システムを提供することが含まれる。導管２８３０は、源導管２０９５に接続され、移送される流体のための冷却源を提供する冷却水を通過する。一実施形態に対し、第１絶縁層３００５は、アルミニウム材料の層及び発泡材料の層を含む。
【０１１３】
図３１は、いくつかの実施形態による、絶縁体の第２層を有する源チューブを示す分配システムの代表的な底面図を示す。図示のように、第２絶縁層３１０５は、分配システムハウジング内にある源導管２０９５の部分および分配システムハウジングの部分的外側に延びる源導管２０９５の部分の回りを包む。一実施形態に対し、第２絶縁層３１０５は、発泡材料の層を含む。絶縁テープは、第１絶縁層３００５及び第２絶縁層３１０５を源導管２０９５と共に保持するのに使用される。他の絶縁材料及び慣習の組み合わせも使用されることができる。
【０１１４】
図３２は、いくつかの実施形態による、移送中に制御されることができる源流体の温度がどの程度かを示す代表的な冷却システムを示す。冷却システムは、冷却された又は冷たい液体を含む。液体３２４０は、例えば、冷やされた又は凍らされたグリコール、水又は食塩水、あるいは他の冷たい液体にすることができる。液体３２４０（例えば、グリコール）は、分配ポイントまで源流体（例えば、ビール）がずっと冷却し続けるのに役立つ。液体３２４０は、タンク又は容器３２０５に保持される。タンク３２０５は、冷却液体で充填されあるいは部分的に充填される。タンク３２０５は、インレット３２０４及びアウトレット３２０７を含む。また、タンク３２０５は、流入流体導管３２２５と接続する第１カプラと、流出流体導管３２０８と接続する別のカプラとを含む。また、タンク３２０５は、例えば、タンク３２０５内の液体３２４０のレベル、液体３２４０の温度などを含む目的を監視するための監視デバイス３２０９を含む。一実施形態に対し、冷却システムは、移動でき、タンク３２０５及び液体３２４０を水中に（完全に又は部分的に）沈めて冷やす。
【０１１５】
ポンプ３２１０は、タンク３２０５から液体３２４０をくみ上げるのに使用される。ポンプ３２１０は、分配システムに電力を供給するのに使用される同じ電源を使用して電力を供給される、あるいは、別個の電源を使用する。電力は、電力ライン３２１２を介してポンプ３２１０に供給される。ポンプ３２１０は、図２８に示された導管２８３０を含む冷却システムを通じて液体３２４０を循環するために使用される。例えば、流入導管３２０８は、タンク３２０５からポンプ３２１０まで液体３２４０を移送するために使用される。導管３２１５は、タンク３２０５から分配システムまで液体３２４０を移送するために使用される。導管２８３０は、バルブ２７５５、２７６０、２７６５及び２７７０に接続されることによって分配システムを通じて液体３２４０を移送するのに使用される。導管３２２０は、ファン及び／又はラジエーター３２５０によって冷却される分配システムから離れる方向に液体３２４０を移送するのに使用される。導管３２２０は、ラジエーター３２５０の流入カプラを介してラジエーター３２５０に接続される。流入導管３２２５は、ラジエーター３２５０の流出カプラを介してラジエーター３２５０に接続される。上述の導管の各々に沿った液体３２４０の方向を示す方向矢印が図３２に示される。
【０１１６】
導管３２１５は、移送中所望の温度に流体を維持するために源導管２０９５に沿って延びる。導管３２１５は、源導管２０９５に平行に延び、源導管２０９５（例えば、コイル）又はその組み合わせ（例えば、螺旋形ライン）を円周方向に囲む。
【０１１７】
一実施形態では、導管３２１５、３２２０及び３２２５は、ステンレス鋼又は銅又は高い熱伝導率の他の材料で作られることができる。一実施形態では、温度調整された空気は、導管３２１５及び源導管２０９５を所望の温度に維持するために使用される。例えば、流体源２４０５は、冷却ユニット内に収容され、流体を所望の温度に維持する。冷却空気ラインは、導管３２１５で使用され、移送中流体源２４０５から分配システムまでの流体の温度を維持する。
【０１１８】
分配システムは、既存のカウンターの上部に配置されるかカウンター又は給仕面３２３０に組み込まれる。代替的に、分配システムは、場所によって必要とされる給仕領域に組み込まれることができる構成要素として提供される。一実施形態では、分配システムは、情報が表示されて可視できる領域を含むことができる。例えば、イメージ、グラフィックス、製品ロゴ、顧客のアイコンなどは、第１前壁２７０５の領域に表示されることができる。情報は、例えば、オン／オフ又は開始／停止のメカニズムを含むバルブの機能に統合されることができる。情報は、純粋に審美的な目的のために表示される。例えば、顧客のアイコンは、分配システムによって分配されたビールと関連した一般的なビールのタップにすることができる。
【０１１９】
図３３は、いくつかの実施形態による、分配システムによって使用される代表的な分配論理図を示す。分配システムは、電気的及び機械的構成要素を制御するための分配ロジックを含む。分配ロジックは、ハードウェア（回路、専用ロジック、ステートマシンなど）及び（汎用コンピュータシステムまたは専用マシン上で実行されるような）ソフトウェア、又はその双方の組み合わせによって実行される。分配ロジックは、組み合わせロジック及び有限ステートマシンで実装される。分配ロジックは、特定用途集積チップ（ＡＳＩＣ）、フィールドプログラマブルゲートアレイ（ＦＰＧＡ）、又はプロセッサー、あるいはそれらの組み合わせを含む。ソフトウェアが使用され、機械指令を含む。情報は、周辺のデバイスから受信される。情報は、周辺のデバイス上に表示される。
【０１２０】
図３３を参照すると、分配ロジックは、プロセッサー３３０５及び情報及び指令を格納するように構成されたメモリー３３１０を含む。分配ロジックは、情報がプロセッサー３３０５によって送られる及びプロセッサー３３０５に送られることを可能にするバス３３５０を含む電気回路を含む。情報は、流体容器の適当な配置を示すために容器センサー１７１４によってプロセッサー３３０５に送られる。また、情報は、タービン２３２７の回転に基づいた流体の流れ量を示すために流体センサー１７０８によってプロセッサー３３０５に送られる。タイマー３３５５は、流れ時間及び流れ率を決定するために使用される。プロセッサー３３０５は、アクチュエーターアッセンブリ１７１０に情報を送り、アクチュエーターアッセンブリ１７１０のソレノイド１７０６を動かし、流体を流す。メモリー３３１０は、プロセッサー３３０５が流体容器に分配される流体量を計算及び決定するのを許容する指令及び／又は情報を格納する。
【０１２１】
プロセッサー３３０５は、ユーザーインターフェース３３５０からの情報を受け取り、ユーザーインターフェース３３５０上の情報を表示する。ユーザーインターフェース３３５０の実行は、使用者が自動充填モードを設定することができる自動モードモジュール３３５２と、使用者が手動充填モードを設定することができる手動モードモジュール３２５５を含む。また、ユーザーインターフェース３３５０は、使用者が流体を受け取る流体容器の大きさ又は容積を特定することができる容器サイズモジュール３３５７と、使用者が流体容器に分配される量を調整することができる充填制御モジュール３３６０を含む。電力モジュール３３６２は、分配システムを電源のオンオフするために使用される。ステータスモジュール３３５８は、使用者への状況情報を表示するために使用される。これは、分配の準備がされた又は分配の準備がされていない分配システムに関しての情報を含む。記載されていないが、分配ロジックは、本明細書中に記載された実施形態に従って分配システムが流体を流体容器に分配するのを可能にする他のモジュールを含む。
【０１２２】
図３４は、いくつかの実施形態による、代表的な分配フロー図を示す。フロー図は、分配システムが自動モードで実行するよう設定されているときに適用できる。フローは、自動モード情報及び容器サイズ情報が受信されるブロック３４０５で開始する。適用できるとき、充填レベル情報も受信される。一実施形態では、自動モード情報及び容器サイズ情報は、流体がまだ分配されていないときにあらゆるオーダーで受信される。
【０１２３】
ブロック３４１０では、適当な流体容器配置情報は、流体容器が分配プラットフォーム上のバルブと接触して配置された後に受信される。容器の適当な配置は、流体容器の底部に配置された接合プレートがノズル１７０５上に配置された接合プレートと接合することを必要とする。上述のように、流体容器の底部に配置された接合プレートは、磁石を含む。ブロック３４１５では、信号は、バルブを開かせ、バルブから流体容器への流体の流路を開き、流体が流体容器の底部から流体容器の中に分配されるのを許容するために送信される。信号は、バルブアッセンブリ１７１０のソレノイド１７０６を動かしてプランジャー２３２６を開く。ブロック３４２０では、回転情報が受信される。回転情報は、タービン２３２７の回転を検知することに関する情報にすることができる。検知は、流体センサー１７０８によって実行される。磁石は、タービン２３２７のフィンに配置され、流体センサー１７０８は、ホール効果センサーにすることができる。回転情報及びタイマーからの情報に基づいて、分配量が決定される。
【０１２４】
ブロック３４２５では、決定された分配量は、容器の大きさ情報（及び適用可能な時の充填レベル情報）と比較される。決定された分配量が容器の大きさ情報よりも少ない時、流体容器への流体の流れは継続することが許容され、そして、比較動作が繰り返される。所望の流体量を正確に分配するのは困難である。一実施形態に対し、閾値は、流体の流れを停止するときを決定するために使用される。ブロック３４３０では、容器の大きさ情報（又は閾値内）に等しいあるいはほぼ等しい分配量に基づいて、流体容器への流体の流れが停止される。これは、バルブに他の信号を受信することを含み、プランジャー２３２６を閉じる。ひとたび充填された流体容器が分配プラットフォームから取り除かれると、情報が受信されて、別の流体容器を充填するため又は使用間の洗浄／清掃のために分配システムがリセットされて準備状態にすることを許容する。一実施形態では、上述のフロー図は、流体容器が満たされる前に流体の流れを停止するために、ブロック３４２５の動作中に停止オプション２７９２を選択することによって半自動分配モードに対応するために調整される。
【０１２５】
いくつかの特定の実施形態が本明細書中に記載されているが、本発明はこれらの実施形態に限定されるものではない。本発明は、本明細書に記載した特定の実施形態によって限定されるものではなく添付の特許請求の範囲によって画定されるものと理解されるべきである。記載された実施形態は、新規であると考えられかつ本発明の範囲内にある様々な特徴の単なる例であるので、一つ以上の記載した実施形態の機能および詳細は、本発明の範囲内にある他の実施形態を形成するために組み合わせることができ、付加されることができ、あるいは取り除かれることができる。本発明の実施形態は、容器と非固体（例えば流体又は液体）の材料の源との間の一定のシールが維持される必要がある場合に使用されることができる。本発明の実施形態は、容器が繰り返し的に源に（容器のシールの破損なしに）接続されると共に源から取り除かれることを可能にする。
【０１２６】
本発明の実施形態は、液体、飲料またはビールディスペンサーの観点から記載され本明細書中に示されているが、本発明の実施形態は、これに限定されず、他の液体及び物質にさらに適用可能であることを理解されるべきである。磁性材料を実装する実施形態では、ディスペンサーは、一つ以上の構成要素（例えば、非鉄物質）の磁気的相互作用に干渉しない物質で使用されるのが好ましい。さらに、本発明の実施形態は、その底部から容器を充填する観点で記載され本明細書中に示されているが、本発明の実施形態は、容器の底部分からの充填に適用可能であることを理解されるべきである。用語“底部”は、概ね、充填する液体の進入が概ね充填プロセスの少なくとも後半に対して容器の液体の表面の下からであるように容器のあらゆる下部分を含むことを理解されるべきである。例えば、“底部”は、容器が容量いっぱいに満たされている場合に最初に充填プロセスが容器の液体表面の上にある容器の側面を含み、その充填プロセスは充填プロセスの後半に対して容器の液体の表面の下になる。また、本発明の実施形態は、その上部分から閉じた容器を充填するために使用されることができる。
【０１２７】
本発明の実施形態は、添付図面を参照して完全に説明されているが、様々な変更および修正は当業者に明らかになることに留意すべきである。そのような変更および修正は添付の特許請求の範囲によって定義される本発明の実施形態の範囲内に含まれるものとして理解されるべきである。例えば、特定の例は、形状や材質のために提供されるが、実施形態は、このような形状を変更したり、一緒に材料を組み合わせたりすることなど当業者に明らかなバリエーションを含む。例えば、特定の実施形態は、容器又は飲料ディスペンサーのいずれかのリングに含まれた実施形態税材料又は鉄金属を含むが、実施形態は、それに限定されず、ブロック、ペレット又は他のバリエーションを使用することなど、容器又はディスペンサーに組み合わされた磁性材料を含むことができる。さらに、本明細書中に記載された実施形態は、概ね、流体流を形成するための飲料ディスペンサー及び流路を形成する別個のバルブを記載するが、これらの特徴は、単一のデバイスに組み合わされることができる。用語“結合された”は、結合部品間の直接的又は間接的なアタッチメントを含むことが意図される。さらに、本明細書中の実施形態は、例示的なバルブシステムに対して電気的及び機械的構成要素を記載する。実施形態は、同じ結果を達成するために電気的および機械的構成要素を変更するなど当業者に明らかなバリエーションを含む。また、特定の実施形態は、ハウジング、ユーザー入力デバイス及び顧客のアイコンを含む分配システムに対して記載され、それは、当業者に明らかであるように変更され、排除され、あるいは組み合わされることができる。本明細書に記載される特徴は、任意の組み合わせで使用されることができ、それらが記載されている実施形態に限定されるものではない。従って、実施形態は、追加機能を含めることができ、あるいは、特定のアプリケーションによって必要に応じて機能を排除することができる。
【図１】
2013517188.tif 000003
【図２Ａ】
2013517188.tif 000004
【図２Ｂ】
2013517188.tif 000005
【図２Ｃ】
2013517188.tif 000006
【図３】
2013517188.tif 000007
【図４Ａ】
2013517188.tif 000008
【図４Ｂ】
2013517188.tif 000009
【図５Ａ】
2013517188.tif 000010
【図５Ｂ】
2013517188.tif 000011
【図６】
2013517188.tif 000012
【図７Ａ】
2013517188.tif 000013
【図７Ｂ】
2013517188.tif 000014
【図８】
2013517188.tif 000015
【図９Ａ】
2013517188.tif 000016
【図９Ｂ】
2013517188.tif 000017
【図１０】
2013517188.tif 000018
【図１１】
2013517188.tif 000019
【図１２】
2013517188.tif 000020
【図１３】
2013517188.tif 000021
【図１４Ａ】
2013517188.tif 000022
【図１４Ｂ】
2013517188.tif 000023
【図１５】
2013517188.tif 000024
【図１６Ａ】
2013517188.tif 000025
【図１６Ｂ】
2013517188.tif 000026
【図１７】
2013517188.tif 000027
【図１８】
2013517188.tif 000028
【図１９】
2013517188.tif 000029
【図２０】
2013517188.tif 000030
【図２１】
2013517188.tif 000031
【図２２】
2013517188.tif 000032
【図２３】
2013517188.tif 000033
【図２４】
2013517188.tif 000034
【図２５】
2013517188.tif 000035
【図２６】
2013517188.tif 000036
【図２７Ａ】
2013517188.tif 000037
【図２７Ｂ】
2013517188.tif 000038
【図２８】
2013517188.tif 000039
【図２９】
2013517188.tif 000040
【図３０】
2013517188.tif 000041
【図３１】
2013517188.tif 000042
【図３２】
2013517188.tif 000043
【図３３】
2013517188.tif 000044
【図３４】
2013517188.tif 000045
【国際調査報告】
2013517188.tif 000046